(57)【要約】【課題】画面上に表示された画像をその画像の持つ意味を含めて取り込んで様々なアプリケーションで利用可能とする。【解決手段】化学物質に関する画像が画面上に表示されている場合において（ステップＦ１１〜Ｆ１４）、ユーザがその画像の一部を範囲指定すると、本装置に備えられた制御部（ＣＰＵ）はその指定範囲内に存在する化学物質の画像情報を当該化学物質の成分情報と共に取り込み、装置内の記憶装置に保持する（ステップＦ１５，Ｆ１６）。その際に、制御部（ＣＰＵ）は当該化学物質の成分情報をシンボル化して画面上に表示する（ステップＦ１７）。このように、画面上から化学物質の画像を成分情報と一緒に取り込むことができ、その化学物質の成分情報をシンボル化してユーザに提示することができる。【選択図】　　図１３
2004118555.tif 000002
【特許請求の範囲】
【請求項１】
画面上に化学物質に関する画像を表示する表示手段と、
この表示手段によって表示された画像の一部を範囲指定する範囲指定手段と、
この範囲指定手段によって指定された範囲内に存在する化学物質の画像情報を当該化学物質の成分情報と共に取り込む画像取込み手段と、
この画像取込み手段によって取り込まれた化学物質画像とその成分情報とを関連付けて記憶する記憶手段と
を具備したことを特徴とする情報処理装置。
【請求項２】
前記記憶手段に記憶された化学物質画像をその化学物質の成分を表した所定の記号に変換して表示する化学物質記号表示手段を具備したことを特徴とする請求項１記載の情報処理装置。
【請求項３】
画面上に挿し絵を含むデータを表示する表示手段と、
この表示手段によって表示されたデータ中の挿し絵の部分を範囲指定する範囲指定手段と、
この範囲指定手段によって指定された範囲内に存在する挿し絵の画像情報を当該挿し絵の関連データと共に取り込む画像取込み手段と、
この画像取込み手段によって取り込まれた挿し絵画像とその関連データとを関連付けて記憶する記憶手段と
を具備したことを特徴とする情報処理装置。
【請求項４】
外部から送られてきた画像情報を受信する受信手段と、
この受信手段によって受信された画像情報を画面上に表示する表示手段と、
この表示手段によって表示された画像情報の一部を範囲指定する範囲指定手段と、
この範囲指定手段によって指定された範囲内に存在する画像情報を取り込む画像取込み手段と、
この画像取込み手段によって取り込まれた画像情報に添付された情報があるか否かを判断し、添付情報がある場合にはその添付情報を取り込む添付情報取込み手段と、
この添付情報取込み手段によって取り込まれた添付情報と前記画像取込み手段によって取り込まれた画像情報とを関連付けて記憶する記憶手段と
を具備したことを特徴とする情報処理装置。
【請求項５】
画面上に表示された画像情報に対してコメントデータを入力するコメント入力手段と、
このコメント入力手段によって入力されたコメントデータを当該画像情報と関連付けて記憶する記憶手段と、
コメント表示切替え指示に従って前記記憶手段に記憶された画像情報をその画像情報に対応したコメントデータと共に表示するか、あるいは、前記画像情報のみを表示する表示制御手段と
を具備したことを特徴とする情報処理装置。
【請求項６】
画面上に表示された複数の画像情報のそれぞれに対してコメントデータを入力するコメント入力手段と、
このコメント入力手段によって入力された各コメントデータの表示順を指定する表示順指定手段と、
前記各コメントデータを各画像情報とを関連付けて記憶する記憶手段と、
この記憶手段に記憶された各画像情報を表示すると共に、これらに対応したコメントデータを前記指定された表示順に従って表示する表示制御手段と
を具備したことを特徴とする情報処理装置。
【請求項７】
画面上にテレビ放送の番組表を表示する表示手段と、
この表示手段によって表示された番組表の中の一部を範囲指定する範囲指定手段と、
この範囲指定手段によって指定された範囲内に存在する番組表の画像情報を取り込む画像取込み手段と、
この画像取込み手段によって取り込まれた番組表画像に記述されている番組情報に基づいてテレビ放送の録画処理を行う録画制御手段と
を具備したことを特徴とする情報処理装置。
【請求項８】
前記指定範囲内に存在する番組表の画像情報をインデックスとして前記録画制御手段によって録画されたデータに付加して記憶する記憶手段を具備したことを特徴とする請求項７記載の情報処理装置。
【請求項９】
テレビ放送を受信する受信手段と、
この受信手段によって受信されたテレビ放送の画像情報を画面上に表示する表示手段と、
この表示手段によって表示された画像情報の一部を範囲指定する範囲指定手段と、
この範囲指定手段によって指定された範囲内に存在する画像情報を取り込む画像取込み手段と、
この画像取込み手段によって取り込まれた画像情報に付加された情報があるか否かを判断し、付加情報がある場合にはこれを前記画面上の所定の位置に表示する付加情報表示手段と
を具備したことを特徴とする情報処理装置。
【請求項１０】
前記付加情報表示手段は、前記画像情報に複数の情報が付加されている場合に、これらの付加情報の選択画面を表示した後、その中で選択された付加情報を前記画面上の所定の位置に表示することを特徴とする請求項９記載の情報処理装置。
【請求項１１】
前記付加情報表示手段によって表示された付加情報と前記画像情報とを関連付けて記憶する記憶手段を具備したことを特徴とする請求項９記載の情報処理装置。
【請求項１２】
テレビ放送を受信する受信手段と、
この受信手段によって受信されたテレビ放送の画像情報を画面上に表示する表示手段と、
この表示手段によって表示された画像情報に含まれる任意のキャラクタを範囲指定する範囲指定手段と、
この範囲指定手段によって指定された範囲内に存在するキャラクタの発する音声情報を文字情報に変換する変換手段と、
この変換手段によって変換された文字情報を当該キャラクタに対応付けて表示する文字情報表示手段と
を具備したことを特徴とする情報処理装置。
【請求項１３】
各日付毎のスケジュール情報を記憶した記憶手段と、
画面上にカレンダを表示する表示手段と、
この表示手段によって表示されたカレンダの一部を範囲指定する範囲指定手段と、
この範囲指定手段によって指定された範囲内に存在するカレンダ上の各日付を判別する日付判別手段と、
この日付判別手段によって判別された各日付に対応したスケジュール情報を前記記憶手段から読み出して表示するスケジュール表示手段と
を具備したことを特徴とする情報処理装置。
【請求項１４】
前記スケジュール表示手段は、前記指定範囲内に存在する各日付に共通のスケジュール情報を前記記憶手段から検索し、そのスケジュール情報を表示することを特徴とする請求項１３記載の情報処理装置。
【請求項１５】
Ｗｅｂサイトにアクセスして、そのＷｅｂサイトの情報を画面上に表示する表示手段と、
この表示手段によって表示されたＷｅｂサイトの情報の一部を範囲指定する範囲指定手段と、
この範囲指定手段によって指定された範囲内に存在する情報を記憶する記憶手段と、
所定のタイミングで前記Ｗｅｂサイトにアクセスして、前記記憶手段に記憶された前記指定範囲内の情報が更新されているか否かを判断する更新判断手段と、
この更新判断手段によって前記指定範囲内の情報が更新されていると判断された場合に、その更新後の情報を取り込んで所定の画面上に表示する更新情報表示手段と
を具備したことを特徴とする情報処理装置。
【請求項１６】
画面上に複数のボタンを有する操作パネルを表示する表示手段と、
この表示手段によって表示された操作パネルの一部を範囲指定する範囲指定手段と、
この範囲指定手段によって指定された範囲内に存在する操作パネル上のボタンを判別するボタン判別手段と、
このボタン判別手段によって判別されたボタンに対応した処理を実行する制御手段と
を具備したことを特徴とする情報処理装置。
【請求項１７】
前記制御手段は、前記指定範囲内に操作パネル上の複数のボタンが存在する場合に、これらのボタンの入力順を指定させるための特定の画面を表示し、その画面上で指定された入力順に従って各ボタンに対応した処理を実行することを特徴とする請求項１６記載の情報処理装置。
【発明の詳細な説明】
【０００１】
【発明の属する技術分野】
本発明は、例えばＰＣ（Ｐｅｒｓｏｎａｌ　Ｃｏｍｐｕｔｅｒ）やＰＤＡ（Ｐｅｒｓｏｎａｌ　Ｄｉｇｉｔａｌ　Ａｓｓｉｓｔａｎｔ）等の情報処理装置に係り、特に画面上で範囲を指定して画像を取り込む画像取込み機能を備えた情報処理装置に関する。
【０００２】
【従来の技術】
例えばＰＣやＰＤＡ等の情報処理装置では、画面上で範囲を指定することにより、その指定範囲内の画像を取り込むようにした画像取込み機能を備えたものがある。このような画像取込み機能では、画面上の画像をドット単位で取り込むことで、これらの画像をコンピュータ上で動作している各種アプリケーションで共通に用いるようにしている。また、従来、画面上に表示されて回路図を対象として、画面上での指定操作に伴ってその回路図に対して様々な処理を施すものが知られている（例えば特許文献１）。
【０００３】
【特許文献１】
特開２０００−２８５１４２号公報
【０００４】
【発明が解決しようとする課題】
しかしながら、従来の画像取込み機能では、画面上で範囲指定された画像を単なる絵として認識しており、その画像が持つ意味までを含めて取り込むことはできなかった。このため、ユーザが画面上で所望の画像を範囲指定により取り込んだとしても、その画像は単なる絵として保持されることになり、その画像が持つ意味を必要とするアプリケーションには利用することはできなかった。
【０００５】
本発明は前記のような点に鑑みなされたもので、画面上に表示された画像をその画像の持つ意味を含めて取り込んで様々なアプリケーションで利用可能とする情報処理装置を提供することを目的とする。
【０００６】
【課題を解決するための手段】
本発明の請求項１に係る情報処理装置は、画面上に化学物質に関する画像を表示する表示手段と、この表示手段によって表示された画像の一部を範囲指定する範囲指定手段と、この範囲指定手段によって指定された範囲内に存在する化学物質の画像情報を当該化学物質の成分情報と共に取り込む画像取込み手段と、この画像取込み手段によって取り込まれた化学物質画像とその成分情報とを関連付けて記憶する記憶手段とを具備したことを特徴とする。
【０００７】
このような構成によれば、画面上に表示された化学物質に関する画像の一部を範囲指定することにより、その指定範囲内に存在する化学物質の画像情報と共に当該化学物質の成分情報を取り込むことができる。
【０００８】
本発明の請求項２に係る情報処理装置は、請求項１記載の情報処理装置において、前記記憶手段に記憶された化学物質画像をその化学物質の成分を表した所定の記号に変換して表示する化学物質記号表示手段を具備したことを特徴とする。
【０００９】
このような構成によれば、画面上から取り込んだ化学物質の画像がその化学物質の成分を表した所定の記号に変換されて表示されるので、どのような種類の化学物質を含んでいるのかを視覚的に把握できるようになる。
【００１０】
本発明の請求項３に係る情報処理装置は、画面上に挿し絵を含むデータを表示する表示手段と、この表示手段によって表示されたデータ中の挿し絵の部分を範囲指定する範囲指定手段と、この範囲指定手段によって指定された範囲内に存在する挿し絵の画像情報を当該挿し絵の関連データと共に取り込む画像取込み手段と、この画像取込み手段によって取り込まれた挿し絵画像とその関連データとを関連付けて記憶する記憶手段とを具備したことを特徴とする。
【００１１】
このような構成によれば、例えば教科書など、何らかの挿し絵が挿入されたデータを対象として、画面上での範囲指定操作により、その挿し絵の画像情報を当該挿し絵の説明文などの関連データと共に取り込むことができる。
【００１２】
本発明の請求項４に係る情報処理装置は、外部から送られてきた画像情報を受信する受信手段と、この受信手段によって受信された画像情報を画面上に表示する表示手段と、この表示手段によって表示された画像情報の一部を範囲指定する範囲指定手段と、この範囲指定手段によって指定された範囲内に存在する画像情報を取り込む画像取込み手段と、この画像取込み手段によって取り込まれた画像情報に添付された情報があるか否かを判断し、添付情報がある場合にはその添付情報を取り込む添付情報取込み手段と、この添付情報取込み手段によって取り込まれた添付情報と前記画像取込み手段によって取り込まれた画像情報とを関連付けて記憶する記憶手段とを具備したことを特徴とする。
【００１３】
このような構成によれば、例えばＴＶ画像などのように、外部から送られてきた画像を対象として、その画像の一部を画面上で範囲指定することにより、その指定範囲内に存在する画像を当該画像に添付された情報と共に取り込むことができる。
【００１４】
本発明の請求項５に係る情報処理装置は、画面上に表示された画像情報に対してコメントデータを入力するコメント入力手段と、このコメント入力手段によって入力されたコメントデータを当該画像情報と関連付けて記憶する記憶手段と、コメント表示切替え指示に従って前記記憶手段に記憶された画像情報をその画像情報に対応したコメントデータと共に表示するか、あるいは、前記画像情報のみを表示する表示制御手段とを具備したことを特徴とする。
【００１５】
このような構成によれば、例えば写真等の画像情報に対してコメントデータを付けて取り込むことができ、後に表示切替えによって当該画像情報をコメント付きで表示させることができる。
【００１６】
本発明の請求項６に係る情報処理装置は、画面上に表示された複数の画像情報のそれぞれに対してコメントデータを入力するコメント入力手段と、このコメント入力手段によって入力された各コメントデータの表示順を指定する表示順指定手段と、前記各コメントデータを各画像情報と関連付けて記憶する記憶手段と、この記憶手段に記憶された各画像情報を表示すると共に、これらに対応したコメントデータを前記指定された表示順に従って表示する表示制御手段とを具備したことを特徴とする。
【００１７】
このような構成によれば、例えば写真等の複数の画像情報に対してコメントデータを付加した際に、これらのコメントデータの表示順を指定しておくことで、画像呼出し時に前記指定された表示順で該当する画像情報にコメントを付けて表示させることができる。
【００１８】
本発明の請求項７に係る情報処理装置は、画面上にテレビ放送の番組表を表示する表示手段と、この表示手段によって表示された番組表の中の一部を範囲指定する範囲指定手段と、この範囲指定手段によって指定された範囲内に存在する番組表の画像情報を取り込む画像取込み手段と、この画像取込み手段によって取り込まれた番組表画像に記述されている番組情報に基づいてテレビ放送の録画処理を行う録画制御手段とを具備したことを特徴とする。
【００１９】
このような構成によれば、画面上に表示されたテレビ放送の番組表の一部を範囲指定することにより、その指定範囲内に存在する番組表の画像情報を取り込んで、その番組表画像に記述されている番組情報に基づいてテレビ放送の録画を行うことができる。
【００２０】
本発明の請求項８に係る情報処理装置は、請求項７記載の情報処理装置において、前記指定範囲内に存在する番組表の画像情報をインデックスとして前記録画制御手段によって録画されたデータに付加して記憶する記憶手段を具備したことを特徴とする。
【００２１】
このような構成によれば、画面上から取り込んだ番組表の画像情報を録画データのインデックスとして利用することができる。
【００２２】
本発明の請求項９に係る情報処理装置は、テレビ放送を受信する受信手段と、この受信手段によって受信されたテレビ放送の画像情報を画面上に表示する表示手段と、この表示手段によって表示された画像情報の一部を範囲指定する範囲指定手段と、この範囲指定手段によって指定された範囲内に存在する画像情報を取り込む画像取込み手段と、この画像取込み手段によって取り込まれた画像情報に付加された情報があるか否かを判断し、付加情報がある場合にはこれを前記画面上の所定の位置に表示する付加情報表示手段とを具備したことを特徴とする。
【００２３】
このような構成によれば、画面上に表示されたテレビ画像を範囲指定することにより、その指定範囲内に存在する画像情報に何らかの情報が付加されていれば、その付加情報を画面上の所定の位置に表示させることができる。
【００２４】
本発明の請求項１０に係る情報処理装置は、請求項９記載の情報処理装置において、前記付加情報表示手段は、前記画像情報に複数の情報が付加されている場合に、これらの付加情報の選択画面を表示した後、その中で選択された付加情報を前記画面上の所定の位置に表示することを特徴とする。
【００２５】
このような構成によれば、前記指定範囲内の画像情報に複数の情報が付加されている場合に、これらの中の任意の付加情報を選択することができる。
【００２６】
本発明の請求項１１に係る情報処理装置は、請求項１０記載の情報処理装置において、前記付加情報表示手段によって表示された付加情報を前記画像情報と関連付けて記憶する記憶手段を具備したことを特徴とする。
【００２７】
このような構成によれば、画面上から取り込んだ画像情報を付加情報と関連付けて記憶手段に記憶しておくことができる。
【００２８】
本発明の請求項１２に係る情報処理装置は、テレビ放送を受信する受信手段と、この受信手段によって受信されたテレビ放送の画像情報を画面上に表示する表示手段と、この表示手段によって表示された画像情報に含まれる任意のキャラクタを範囲指定する範囲指定手段と、この範囲指定手段によって指定された範囲内に存在するキャラクタの発する音声情報を文字情報に変換する変換手段と、この変換手段によって変換された文字情報を当該キャラクタに対応付けて表示する文字情報表示手段とを具備したことを特徴とする。
【００２９】
このような構成によれば、画面上に表示されたテレビ画像の中の任意のキャラクタを範囲指定することにより、その指定範囲内に存在するキャラクタの発する音声情報を文字情報に変えて表示させることができる。
【００３０】
本発明の請求項１３に係る情報処理装置は、各日付毎のスケジュール情報を記憶した記憶手段と、画面上にカレンダを表示する表示手段と、この表示手段によって表示されたカレンダの一部を範囲指定する範囲指定手段と、この範囲指定手段によって指定された範囲内に存在するカレンダ上の各日付を判別する日付判別手段と、この日付判別手段によって判別された各日付に対応したスケジュール情報を前記記憶手段から読み出して表示するスケジュール表示手段とを具備したことを特徴とする。
【００３１】
このような構成によれば、画面上に表示されたカレンダの一部を範囲指定することにより、その指定範囲内に存在するカレンダ上の各日付に対応したスケジュール情報を表示させることができる。
【００３２】
本発明の請求項１４に係る情報処理装置は、請求項１３記載の情報処理装置において、前記スケジュール表示手段は、前記指定範囲内に存在する各日付に共通のスケジュール情報を前記記憶手段から検索し、そのスケジュール情報を表示することを特徴とする。
【００３３】
このような構成によれば、前記指定範囲内の各日付に共通のスケジュール情報のみを表示させることができる。
【００３４】
本発明の請求項１５に係る情報処理装置は、Ｗｅｂサイトにアクセスして、そのＷｅｂサイトの情報を画面上に表示する表示手段と、この表示手段によって表示されたＷｅｂサイトの情報の一部を範囲指定する範囲指定手段と、この範囲指定手段によって指定された範囲内に存在する情報を記憶する記憶手段と、所定のタイミングで前記Ｗｅｂサイトにアクセスして、前記記憶手段に記憶された前記指定範囲内の情報が更新されているか否かを判断する更新判断手段と、この更新判断手段によって前記指定範囲内の情報が更新されていると判断された場合に、その更新後の情報を取り込んで所定の画面上に表示する更新情報表示手段とを具備したことを特徴とする。
【００３５】
このような構成によれば、Ｗｅｂサイトから取得した情報の一部を画面上で範囲指定して記憶しておくことにより、前記Ｗｅｂサイトに定期的にアクセスが行われる。そして、前記指定範囲内の情報の更新が確認された場合に、その更新後の情報が取り込まれて画面上に表示される。
【００３６】
本発明の請求項１６に係る情報処理装置は、画面上に複数のボタンを有する操作パネルを表示する表示手段と、この表示手段によって表示された操作パネルの一部を範囲指定する範囲指定手段と、この範囲指定手段によって指定された範囲内に存在するボタンを判別するボタン判別手段と、このボタン判別手段によって判別されたボタンに対応した処理を実行する制御手段とを具備したことを特徴とする。
【００３７】
このような構成によれば、画面上に表示された操作パネルの一部を範囲指定することにより、その指定範囲内に存在する操作パネル上のボタンに対応した処理を実行することができる。
【００３８】
本発明の請求項１７に係る情報処理装置は、請求項１６記載の情報処理装置において、前記制御手段は、前記指定範囲内に操作パネル上の複数のボタンが存在する場合に、これらのボタンの入力順を指定させるための特定の画面を表示し、その画面上で指定された入力順に従って各ボタンに対応した処理を実行することを特徴とする。
【００３９】
このような構成によれば、前記指定範囲内に操作パネル上の複数のボタンが存在した場合に、これらのボタンの入力順を指定して、その入力順に従って各ボタンに対応した処理を実行することができる。
【００４０】
【発明の実施の形態】
以下、図面を参照して本発明の実施形態を説明する。
【００４１】
図１は本発明の情報処理装置の構成を示すブロック図である。本装置は、例えばＰＣやＰＤＡなどのコンピュータからなり、記録媒体に記録されたプログラムを読み込むことで各種処理を実行する。
【００４２】
図１に示すように、本装置には制御部（ＣＰＵ）１１が備えられている。この制御部（ＣＰＵ）１１は、キー入力部１２から入力されるキー入力データや、液晶表示部１３の表示画面上に重ねて設けられたタブレット１４から位置検出回路１５を介して入力されるタッチペンによるタッチ位置データに応じて、ＲＯＭ１６に予め記憶されているシステムプログラムを起動させ、あるいは外部記録媒体２０から提供されるプログラムを記録媒体読み取り部１９により読み取らせて起動させ、ＲＡＭ１７をワークメモリとして各デバイスの動作制御を行うものである。
【００４３】
また、制御部（ＣＰＵ）１１には、キー入力部１２、液晶表示部１３、タブレット１４、位置検出回路１５、ＲＯＭ１６、ＲＡＭ１７、記録媒体読み取り部１９が接続され、また、液晶表示部１３は表示駆動回路１８を介して接続される。キー入力部１２には、テンキー，アルファベットキー等の文字・記号キー群からなるデータ入力キー１２ａ、データの選択，送り操作やカーソルの移動操作を行う際に操作される上下左右のカーソルキー１２ｂや、本装置に備えられた各種機能を起動するためのモードキー１２ｃなどが設けられている。
【００４４】
ここで、本装置には、画面上の画像を取り込んで処理するための機能として、次のような機能１〜２０で示す２０個の機能が備えられている。なお、これらの機能１〜２０は前記モードキー１２ｃの操作などにより選択的に起動することができる。
【００４５】
機能１：回路図が表示された画面上でその回路図の一部を範囲指定することにより、その指定範囲内の回路図に対応した画像を当該回路図の素子に関する情報と共に記憶する機能である。
機能２：画像として取り込まれた回路図と別の回路図とを結線して合成する機能である。
機能３：画像として取り込まれた回路図を範囲指定すると、その指定範囲内に存在する素子の名称を表示する機能である。
機能４：Ｗｅｂサイト等の外部から取得した素子画像を範囲指定により取り込み、その素子画像を回路図に張り付ける機能である。
機能５：画像として取り込まれた回路図を編集する機能である。
機能６：化学物質に関する画像が表示された画面上を範囲指定することにより、その指定範囲内の化学物質の名称やその成分、濃度等の情報を当該画像と共に記憶する機能である。
機能７：教科書等に挿入されている挿し絵の画像を画面上で指定し、その画像に関連したテキストデータと共に記憶する機能である。
機能８：グラフが表示された画面上でそのグラフの一部を取り込んで他のグラフに張り付けることで、新規にグラフを作成すると共にグラフ式を変更する機能である。
機能９：ＴＶ画像などの外部から送られて来た画像を受信し、その受信画像を画面上で範囲指定することにより、当該画像に添付されて送られて来た情報と共に取り込む機能である。
機能１０：複数のグラフのｚ座標を指定することにより、これらを合成した３Ｄグラフを作成する機能である。
機能１１：写真等の画像が表示された画面上で範囲指定することで、その指定範囲内の画像にコメントの書き込みを可能とした機能である。
機能１２：写真等の画像が表示された画面上で複数の吹き出しを設けて、これらの吹き出しにコメントを書き込んでおくことにより、指定の順で表示する機能である。
機能１３：ＴＶ番組表が表示された画面上でそのＴＶ番組表の一部を範囲指定することにより、指定範囲内の番組画像を取り込んで録画設定を可能とする機能である。
機能１４：前記機能１３によって取り込んだ番組画像をそのまま録画ファイルのインデックスとして利用する機能である。
機能１５：ＴＶ画像が表示された画面上でその画像の一部を範囲指定することにより、指定範囲内の画像を当該画像に付加されている情報と共に取り込む機能である。
機能１６：ＴＶ画像が表示された画面上でフレームの移動により、そのフレーム内の画像を対象として取り込み可能な情報の候補を選択できるようにした機能である。
機能１７：ＴＶ画像が表示された画面上でキャラクタを範囲指定することにより、そのキャラクタが発する音声（セリフ）を文字に変えて表示する機能である。
機能１８：カレンダ表示画面で範囲を指定することで、その指定範囲内のカレンダ上の各日付に対応したスケジュールを表示する機能である。
機能１９：Ｗｅｂページ上の指定範囲内の情報だけを対象として、更新の有無を検出して更新後の情報を表示する機能である。
機能２０：画面上に表示された操作パネルの中の範囲指定された項目を実行する機能である。
【００４６】
また、前記キー入力部１２には、これらの機能１〜２０に関連した各種キーｋ１〜ｋ１５が設けられている。
【００４７】
ｋ１：本装置を起動するためのＯＮキー
ｋ２：回路図の表示を指示するための回路表示キー
ｋ３：回路メモリ内の回路画像の呼び出しを指示するための回路メモリキー
ｋ４：ブラウザ機能を起動するためのブラウザキー
ｋ５：回路図の編集機能を起動するための編集キー
ｋ６：化学物質の表示機能を起動するための化学物質表示キー
ｋ７：電子教科書の表示機能を起動するための電子教科書表示キー
ｋ８：グラフ表示機能を起動するためのグラフ表示キー
ｋ９：グラフメモリ内のグラフ画像の呼び出しを指示するためのグラフメモリキー
ｋ１０：ＴＶ表示機能を起動するためのＴＶ表示キー
ｋ１１：ＴＶメモリ内のＴＶ画像の呼び出しを指示するためのＴＶメモリキー
ｋ１２：コメント表示の有無を指示するためのコメント表示切替えキー
ｋ１３：吹き出しの表示を指示するための吹き出し表示キー
ｋ１４：カレンダ表示機能を起動するためのカレンダ表示キー
ｋ１５：操作パネル表示機能を起動するための操作パネル表示キー。
【００４８】
液晶表示部１３は、データの表示を行うためのデバイスである。タブレット１４は、液晶表示部１３の表示画面上に重ねて設けられ、ペン１４ａによりタッチされた位置に応じた電圧信号を発生するもので、このタブレット１４から出力されるタッチ位置に応じた電圧信号に基づき、位置検出回路１５により表示画面に対応させた座標が検出され、このタッチ位置座標に応じて制御部（ＣＰＵ）１１により操作の内容が判断される。
【００４９】
ＲＯＭ１６には、本装置全体の処理を司るシステムプログラムなどの各種情報が予め記憶されている。ＲＡＭ１７は、本装置の各機能１〜２０の処理に必要な各種情報を記憶しており、ここでは表示バッファ１７ａ、回路メモリ１７ｂ、素子記号テーブル１７ｃ、化学物質メモリ１７ｄ、化学物質シンボルテーブル１７ｅ、教科書メモリ１７ｆ、グラフメモリ１７ｇ、ＴＶメモリ１７ｈ、画像メモリ１７ｉ、コメントメモリ１７ｊ、吹き出しメモリ１７ｋ、録画メモリ１７ｌ、スケジュールメモリ１７ｍ、Ｗｅｂメモリ１７ｎを有する。
【００５０】
表示バッファ１７ａには、液晶表示部１３に表示すべき表示データがビットマップのパターンデータとして記憶される。回路メモリ１７ｂには、ユーザにより画面上で指定された回路画像が記憶される。素子記号テーブル１７ｃには、各種回路素子に対応した記号が記憶されている。化学物質メモリ１７ｄには、ユーザにより画面上で指定された化学物質画像が記憶される。化学物質シンボルテーブル１７ｅには、各種化学物質に対応したシンボルマークが記憶されている。教科書メモリ１７ｆには、ユーザにより画面上で指定された教科書の挿し絵等の画像が記憶される。グラフメモリ１７ｇには、ユーザにより画面上で指定されたグラフ画像が記憶される。
【００５１】
ＴＶメモリ１７ｈには、ユーザにより画面上で指定されたＴＶ画像が記憶される。画像メモリ１７ｉには、各種画像情報が記憶されている。コメントメモリ１７ｊには、ユーザにより画面上で指定された画像に付加されたコメントデータが記憶される。吹き出しメモリ１７ｋには、ユーザにより画面上で指定された画像に付加された吹き出しに書き込まれたコメントデータが記憶される。録画メモリ１７ｌには、ＴＶ番組の録画データが記憶される。スケジュールメモリ１７ｍには、ユーザが各日付毎に登録したスケジュール情報が記憶される。Ｗｅｂメモリ１７ｎには、ユーザが指定したサイトから取得したＷｅｂページの情報が記憶される。
【００５２】
さらに、本装置は通信制御部２１、インターフェース２２などを備える。通信制御部２１は、所定の通信プロトコルに従ってインターネットなどの通信ネットワークを介して外部端末との間でデータ通信を行うものであり、例えばインターネット上の各サイトに接続して情報を取得する場合などに用いられる。インターフェース２２は、外部機器とのインタフェース処理を行うものであり、ここではＴＶ放送（画像と音声）を受信するためのＴＶチューナ２３、ＴＶ放送の録画装置２４などが接続されている。
【００５３】
次に、本装置に備えられた機能１〜２０について詳しく説明する。
【００５４】
（機能１）
まず、本装置に備えられた機能１について、図２および図３を参照して説明する。図２は本装置の機能１に関する表示例、図３はその機能１に関するフローチャートである。
【００５５】
機能１では、本装置の回路表示機能において、任意の回路図の一部を画面上で範囲指定して取り込み、その際に素子の情報も同時に取り込むようにしたものである。
【００５６】
具体的に説明すると、今、図２（ａ）に示すような各素子を有する回路図３１が液晶表示部１３の画面上に表示されているものとする。ここで、図２（ｂ）に示すように、回路図３１の一部をマウスポインタなどを用いて範囲指定すると、図２（ｃ）に示すように、指定範囲３２内の回路図３３が部分的に切り出され、その回路図３３に対応した画像が本装置内のメモリ（ＲＡＭ１７）に記憶される。また、そのときに指定範囲３２内に存在する素子３４、３５（この例ではコンデンサとコイル）の名称や配置、物理量が認識されて当該回路画像と共に前記メモリに記憶される。
【００５７】
以下に、このような機能１を実現するための本装置の処理動作について図３のフローチャートを参照しながら説明する。なお、図３（ａ）は本装置の制御部（ＣＰＵ）１１によって実行される機能１に関する処理、同図（ｂ）は本装置に対するユーザの操作手順を示している。
【００５８】
ユーザがキー入力部１２に設けられたＯＮキーｋ１を押下するなどして本装置をＯＮすると（ステップＵＡ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＡ１１，Ａ１２）。
【００５９】
ここで、ユーザがキー入力部１２に設けられた回路表示キーｋ２を押下して回路表示コマンドを入力すると（ステップＵＡ１２）、制御部（ＣＰＵ）１１はこの回路表示コマンドを検出することにより（ステップＡ１３）、同コマンドの入力時に表示対象として指定された回路図のデータをＲＡＭ１７から読み出す（ステップＡ１４）。ＲＡＭ１７には、予め特定のアプリケーションソフトを用いてユーザにより任意に作成された回路図データ、あるいは、記録媒体２０などを介して外部から提供された回路図データが格納されている。制御部（ＣＰＵ）１１は、このＲＡＭ１７の中からユーザが指定した回路図データを読み出すと、これをＲＡＭ１７に設けられた表示バッファ１７ａにドット単位で展開することにより、図２（ａ）に示すように液晶表示部１３の画面上に表示する（ステップＡ１５）。
【００６０】
続いて、画面上に表示された回路図に対し、図２（ｂ）に示すようにユーザがペン１４ａあるいは図示せぬマウスなどの操作により、現在表示されている回路図の一部を範囲指定すると（ステップＵＡ１３）、制御部（ＣＰＵ）１１はその指定された範囲の位置情報を検出することにより（ステップＡ１６）、その指定範囲内の回路図を部分的に切り出す（ステップＡ１７）。この場合、例えば図２（ｂ）のように画面上で矩形によって範囲指定を行うものとすると、その矩形の４点のＸ，Ｙ座標を検出し、その４点で囲まれる範囲内に存在する回路図を切り出すことになる。すなわち、矩形範囲内に存在する回路図を構成する各ドットのＸ，Ｙ座標を求めることにより、図２（ｃ）に示すように、当該回路図に対応した画像を取り込み、その画像をＲＡＭ１７に設けられた回路メモリ１７ｂに格納する（ステップＡ１８）。
【００６１】
また、制御部（ＣＰＵ）１１は、前記指定範囲内に存在する素子を検索する（ステップＡ１９）。そして、素子の名称、物理量、配置などを前記回路図データに含まれている構成部品情報に基づいて解析することで、これらの素子情報を当該回路図の画像情報に関連付けてＲＡＭ１７の回路メモリ１７ｂに格納する（ステップＡ２０）。
【００６２】
このように本装置の機能１によれば、画面上に表示された回路図の一部を画像化して取り込む場合に、その回路図を構成する各素子の情報と共に取り込むことができる。これにより、その取り込んだ回路画像を単なる絵ではなく回路として認識して回路作成に利用することができる。
【００６３】
（機能２）
次に、本装置に備えられた機能２について、図４および図５を参照して説明する。図４は本装置の機能２に関する表示例、図５はその機能２に関するフローチャートである。
【００６４】
機能２では、本装置の回路図表示機能において、画像として取り込まれた回路を別の回路に張り付ける際に、その張り付け位置に応じて素子の配置を変更するなどして各回路を結線して新たな回路を作成するものである。
【００６５】
具体的に説明すると、上述した機能１を用いて、回路図の一部を画像化して本装置内のメモリ（ＲＡＭ１７）に取り込んでおく。ここで、例えば図４（ａ）に示す回路図４１を図４（ｂ）に示すような別の回路図４２の一部に張り付ける場合において、ユーザがエディタ上でその張り付け部分をマウスポインタなどを用いて範囲指定することにより、図４（ｃ）に示すように、その指定された範囲４３に回路図４１が張り付けられる。この場合、張り付け位置に応じて回路図４１の素子の配置が変更されて回路図４２に結線される。
【００６６】
以下に、このような機能２を実現するための本装置の処理動作について図５のフローチャートを参照しながら説明する。なお、図５（ａ）は本装置の制御部（ＣＰＵ）１１によって実行される機能２に関する処理、同図（ｂ）は本装置に対するユーザの操作手順を示している。
【００６７】
ユーザがキー入力部１２に設けられたＯＮキーｋ１を押下するなどして本装置をＯＮすると（ステップＵＢ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＢ１１，Ｂ１２）。
【００６８】
ここで、ユーザがキー入力部１２に設けられた回路メモリキーｋ３を押下して回路メモリ呼び出しコマンドを入力すると（ステップＵＢ１３）、制御部（ＣＰＵ）１１はこの回路メモリ呼び出しコマンドを検出することにより（ステップＢ１３）、ＲＡＭ１７に設けられた回路メモリ１７ｂから同コマンド入力時に指定された第１の回路画像を検索し（ステップＢ１４）、これをＲＡＭ１７に設けられた表示バッファ１７ａにドット単位で展開することにより、液晶表示部１３の画面上に表示する（ステップＢ１５）。また、ユーザは所定の操作により前記第１の回路画像に張り付けるべき第２の回路画像を選択することにより（ステップＵＢ１３）、制御部（ＣＰＵ）１１はその選択された第２の回路画像を回路メモリ１７ｂから呼び出し（ステップＢ１６）、これを前記第１の回路画像と並べて表示する（ステップＢ１７）。
【００６９】
続いて、画面上に表示された第１の回路画像に対し、ユーザがペン１４ａあるいは図示せぬマウスなどの操作により張り付け部分を範囲指定すると（ステップＵＢ１４）、制御部（ＣＰＵ）１１はその指定された範囲のＸ，Ｙ座標を検出する（ステップＢ１８）。そして、制御部（ＣＰＵ）１１は指定範囲内の第１の回路画像の位置とそこに張り付ける第２の回路画像の位置とを比較した後（ステップＢ１９）、第１の回路画像に含まれる素子の配置等を適宜変更して第２の回路画像に結線して新たな回路画像を作成すると共に、その作成された回路画像を画面上に表示する（ステップＢ２０，Ｂ２１）。図４の例では、コンデンサとコイルを有する回路図４１を別の回路図４２の抵抗素子のある部分に置き換えて張り付けた場合が示されている。
【００７０】
このように本装置の機能２によれば、画面上から取り込んだ回路画像を別の回路画像に張り付けた場合に、ユーザが回路の配線を変更するなどの面倒な編集作業を必要とせずに、両者の回路画像を結線して新たな回路画像を作成することができる。
【００７１】
（機能３）
次に、本装置に備えられた機能３について、図６および図７を参照して説明する。図６は本装置の機能３に関する表示例、図７はその機能３に関するフローチャートである。
【００７２】
機能３では、本装置の回路図表示機能において、コンデンサ、抵抗…といった回路図を構成する各素子の名称を画面上でのユーザの指定操作に応じて表示するものである。
【００７３】
具体的に説明すると、上述した機能１を用いて回路図の一部を画像化して本装置内のメモリ（ＲＡＭ１７）に取り込んでおく。このとき、取り込んだ画像の中に存在する個々の素子の情報も当該回路図の構成要素として取り込んでおく。例えば、図６（ａ）に示すような回路図５１であれば、その回路図５１に含まれる素子５２、５３に関する情報が取り込まれる。ここで、回路図５１を呼び出して画面上に表示した状態で、図６（ｂ）に示すように、ユーザがマウスポインタ５４等で素子５２を指定すると、その指定された素子５２が判断されて、「コンデンサ」といった素子名５５が表示される。
【００７４】
以下に、このような機能３を実現するための本装置の処理動作について図７のフローチャートを参照しながら説明する。なお、図７（ａ）は本装置の制御部（ＣＰＵ）１１によって実行される機能３に関する処理、同図（ｂ）は本装置に対するユーザの操作手順を示している。
【００７５】
ユーザがキー入力部１２に設けられたＯＮキーｋ１を押下するなどして本装置をＯＮすると（ステップＵＣ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＣ１１，Ｃ１２）。
【００７６】
ここで、ユーザがキー入力部１２に設けられた回路表示キーｋ２の押下により回路メモリ呼び出しコマンドを入力すると（ステップＵＣ１３）、制御部（ＣＰＵ）１１はこの回路メモリ呼び出しコマンドを検出することにより（ステップＣ１３）、ＲＡＭ１７に設けられた回路メモリ１７ｂから同コマンド入力時に指定された回路画像を検索し（ステップＣ１４）、これをＲＡＭ１７に設けられた表示バッファ１７ａにドット単位で展開することにより、液晶表示部１３の画面上に表示する（ステップＣ１５）。
【００７７】
続いて、画面上に表示された回路画像に対し、ユーザがペン１４ａあるいは図示せぬマウスなどの操作により回路素子を指定すると（ステップＵＣ１３）、制御部（ＣＰＵ）１１はその指定位置のＸ，Ｙ座標を検出することにより（ステップＣ１６）、そこに表示されている素子の種類を前記回路メモリ１７ｂに当該回路図の画像と共に記憶された素子情報に基づいて判別する（ステップＣ１７）。前記素子情報には、素子名の他に、その素子の物理量などが含まれている。そして、制御部（ＣＰＵ）１１は前記素子情報から判別された当該素子の名称を画面上に表示する（ステップＣ１８）。図６の例では、回路図５１の中の素子５２の部分が指定されたことにより、「コンデンサ」といった素子名を表示した場合が示されている。
【００７８】
このように本装置の機能３によれば、画面上から取り込んだ回路画像を構成する各素子の名称をユーザの指定に応じて表示することができる。また、この回路画像を別の回路画像に張り付けた場合でも、そこに含まれる素子情報が回路画像と共に記憶されているので、前記同様にユーザの指定に応じて素子名の表示を行うことが可能である。
【００７９】
（機能４）
次に、本装置に備えられた機能４について、図８および図９を参照して説明する。図８は本装置の機能４に関する表示例、図９はその機能４に関するフローチャートである。
【００８０】
機能４では、外部から取得した回路商品画像を対象として、その中の回路素子を画面上で指定することにより、これを既存の回路図に取り込むことを可能とするものである。
【００８１】
具体的に説明すると、例えば回路関連会社のＨＰ（ホームページ）にアクセスして、トランジスタやダイオード、抵抗、コンデンサといった回路素子を含む商品画像が図８（ａ）に示すようなＷｅｂ画面６１に表示されているものとする。このＷｅｂ画面６１において、ユーザが任意の素子画像６２をマウスポインタ等で範囲指定すると、その指定範囲内に存在する素子画像６２が取り込まれ、当該素子の種類や特性等の情報と共に本装置のメモリ（ＲＡＭ１７）に記憶される。なお、素子の種類や特性等の情報は当該素子画像６２と共に提供されているものとする。
【００８２】
ここで、図８（ｂ）に示すように回路図６３を表示して、その回路図６３に対して前記素子画像６２の張り付け位置をマウスポインタ等で範囲指定すると、図８（ｃ）に示すように、前記素子画像６２が該当する素子記号６４に変更されて表示され、また、その素子の特性を反映した状態で回路図の一部として表示される。この例では、素子種類として抵抗の記号が表示されており、その素子特性として１．５Ωが表示されている。
【００８３】
以下に、このような機能４を実現するための本装置の処理動作について図９のフローチャートを参照しながら説明する。なお、図９（ａ）は本装置の制御部（ＣＰＵ）１１によって実行される機能４に関する処理、同図（ｂ）は本装置に対するユーザの操作手順を示している。
【００８４】
ユーザがキー入力部１２に設けられたＯＮキーｋ１を押下するなどして本装置をＯＮすると（ステップＵＤ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＤ１１，Ｄ１２）。
【００８５】
ここで、ユーザがキー入力部１２に設けられたブラウザキーｋ４の押下により本装置に備えられたブラウザ機能の起動を指示すると共に、データ入力キー１２ａを操作して、インターネット上のあるサイトのＵＲＬ（Ｕｎｉｆｏｒｍ　Ｒｅｓｏｕｒｃｅ　Ｌｏｃａｔｏｒ）を入力すると（ステップＵＤ１２，ＵＤ１３）、制御部（ＣＰＵ）１１はその起動コマンドとＵＲＬを検出することにより（ステップＤ１３，Ｄ１４）、通信制御部２１を通じてインターネットに接続し、前記ＵＲＬで指定されたサイトから回路商品の情報を取得し（ステップＤ１５）、これをＲＡＭ１７に設けられた表示バッファ１７ａに展開して液晶表示部１３の画面上に表示する（ステップＤ１６）。図８（ａ）に回路商品の表示例を示す。
【００８６】
続いて、画面上に表示された回路商品に対し、ユーザがペン１４ａあるいは図示せぬマウスなどの操作により、この回路商品の中で取り込みたい回路素子を範囲指定すると（ステップＵＤ１４）、制御部（ＣＰＵ）１１はその指定位置のＸ，Ｙ座標を検出することにより（ステップＤ１７）、その指定範囲内の画像と当該画像に添付された素子情報を読み込み、ＲＡＭ１７上の図示せぬバッファに保持しておく（ステップＤ１８）。
【００８７】
次に、回路呼び出しコマンドが入力されると（ステップＵＤ１５）、制御部（ＣＰＵ）１１はその回路呼び出しコマンドを検出することにより（ステップＤ１９）、同コマンド入力時に指定された回路図をＲＡＭ１７などから読み出し（ステップＤ２０）、これを表示バッファ１７ａに展開して液晶表示部１３の画面上に表示する（ステップＤ２１）。
【００８８】
ここで、画面上に表示された回路図に対し、ユーザがペン１４ａあるいは図示せぬマウスなどの操作により張り付け位置を指定すると（ステップＵＤ１６）、制御部（ＣＰＵ）１１はその指定された張り付け位置のＸ，Ｙ座標を検出することにより（ステップＤ２２）、その座標情報に基づいて前記サイトから取得した回路素子を張り付ける（ステップＤ２３，Ｄ２４）。この場合、前記バッファから当該回路素子の画像から素子情報を検出し、その素子情報に基づいて素子の種類に対応した記号をＲＡＭ１７に設けられた素子記号テーブル１７ｃから読み出すことにより前記指定位置に表示するといった処理を行う。その際に、素子の物理量などの特性を前記素子情報から判断し、これを反映した状態で表示するものとする。
【００８９】
また、制御部（ＣＰＵ）１１は前記のようにして素子が張り付けられた回路図を新たな回路図として保持するべく、ＲＡＭ１７内の当該回路図のデータを更新する（ステップＤ２５）。図８（ａ）〜（ｃ）の例では、あるＷｅｂサイトから抵抗素子の画像を取得することで、その画像を抵抗の記号に変えて回路図の中の指定位置に張り付けた場合が示されている。
【００９０】
このように本装置の機能４によれば、Ｗｅｂサイト等から取得した回路素子の画像を当該回路素子の情報と共に取り込むことができ、また、その素子画像を該当する記号に変換して回路図に張り付けるなど、回路図作成に利用することができる。
【００９１】
（機能５）
次に、本装置に備えられた機能５について、図１０および図１１を参照して説明する。図１０は本装置の機能５に関する表示例、図１１はその機能５に関するフローチャートである。
【００９２】
機能５は、前記機能４などを用いて本装置に取り込んだ回路画像を任意に編集する機能である。
【００９３】
具体的に説明すると、図１０（ａ）に示すように、例えば回路図７１を画像化して本装置内のメモリ（ＲＡＭ１７）に取り込んだものとする。その後、回路図７１に対応した画像を立ち上げて画面上に表示し、図１０（ｂ）、（ｃ）に示すように、ペン１４ａなどを用いて当該画像に対して回路素子７２の他、コメント等を任意に書き込んで再保存することにより、回路図の編集を行うことができる。
【００９４】
以下に、このような機能５を実現するための本装置の処理動作について図１１のフローチャートを参照しながら説明する。なお、図１１（ａ）は本装置の制御部（ＣＰＵ）１１によって実行される機能５に関する処理、同図（ｂ）は本装置に対するユーザの操作手順を示している。
【００９５】
ユーザがキー入力部１２に設けられたＯＮキーｋ１を押下するなどして本装置をＯＮすると（ステップＵＥ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＥ１１）。
【００９６】
ここで、ユーザがキー入力部１２に設けられた回路表示キーｋ２の押下により回路メモリ表示機能をＯＮすると（ステップＵＥ１２）、制御部（ＣＰＵ）１１はそのＯＮ信号を検出することにより、ＲＡＭ１７に設けられた回路メモリ１７ｂからユーザが指定した回路図の画像を読み出し、これを表示バッファ１７ａに展開して液晶表示部１３の画面上に表示する（ステップＥ１２）。
【００９７】
続いて、ユーザがキー入力部１２に設けられた編集キーｋ５の押下により回路図の編集モードをＯＮすると（ステップＵＥ１３）、制御部（ＣＰＵ）１１はそのＯＮ信号を検出することにより（ステップＥ１３）、以下のような編集処理を実行する。
【００９８】
すなわち、ユーザがペン１４ａなどを用いて回路素子などの書込み操作を行ったときに（ステップＵＥ１４〜ＵＥ１６）、制御部（ＣＰＵ）１１はそのときの書込み情報をＲＡＭ１７の図示せぬバッファに保持しておく（ステップＥ１４〜Ｅ１６）。そして、ユーザの書込み操作が終了した時点で、制御部（ＣＰＵ）１１は前記バッファに保持された書込み情報からユーザの書き込んだ回路素子の種類を例えば素子記号テーブル１７ｃに登録された各種素子の記号と比較するなどして判別する（ステップＥ１７）。また、ユーザが素子の書込み時に物理量も書き込んである場合には、制御部（ＣＰＵ）１１はその書込み情報から回路素子の物理量を判別する（ステップＥ１８）。
【００９９】
このようにして、書込み情報から回路素子の種類と物理量を判別すると、制御部（ＣＰＵ）１１はその回路素子を追加するべく回路メモリ１７ｂ内の当該回路図の画像情報を更新すると共に（ステップＥ１９）、その更新後の回路画像を表示バッファ１７ａに展開して液晶表示部１３の画面上に再表示する（ステップＥ２０）。図１０の例では、回路図１７に対応した画像に回路素子７２と物理量（２Ω）を書き込んで回路図の編集を行った場合が示されている。
【０１００】
このように本装置の機能５によれば、画面上から取り込んだ回路画像に対し、素子を追加するなど画面上で任意に編集を施すことができる。なお、編集対象としては素子に限らず、回路の配線などを追加したり削除することなども可能である。
【０１０１】
（機能６）
次に、本装置に備えられた機能６について、図１２および図１３を参照して説明する。図１２は本装置の機能６に関する表示例、図１３はその機能６に関するフローチャートである。
【０１０２】
機能６では、化学物質に関する画像を画面上で範囲指定することにより、その指定範囲内に存在する画像から化学物質の成分情報を判別して取り込むようにしたものである。
【０１０３】
具体的に説明すると、今、例えば図１２（ａ）に示すように化学物質に関する画像８１が画面上に表示されているものとする。この例では、化学物質（液体）の入った容器が表示されている。ここで、図１２（ｂ）に示すように、画面上にて現在表示されている画像の一部をマウスポインタ等を用いて範囲指定すると、その指定範囲８２内の画像８３が取り込まれると共に、その画像８３に添付されている化学物質の成分情報が同時に取り込まれる。その際に、図１２（ｃ）に示すように、前記指定範囲８２内の画像８３に含まれる化学物質を示すシンボルマーク８４が画面上に表示されて、化学物質の成分等を視覚的に確認することができる。
【０１０４】
また、例えば別の化学物質に関する画像をソフトウエア処理することで、二つの化学物質を混合した場合における化学変化や濃度変化等を仮想的に見ることが可能になる。
【０１０５】
以下に、このような機能６を実現するための本装置の処理動作について図１３のフローチャートを参照しながら説明する。なお、図１３（ａ）は本装置の制御部（ＣＰＵ）１１によって実行される機能６に関する処理、同図（ｂ）は本装置に対するユーザの操作手順を示している。
【０１０６】
ユーザがキー入力部１２に設けられたＯＮキーｋ１を押下するなどして本装置をＯＮすると（ステップＵＦ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＦ１１）。
【０１０７】
ここで、ユーザがキー入力部１２に設けられた化学物質表示キーｋ６を押下して化学物質の表示機能をＯＮすると（ステップＵＦ１２）、制御部（ＣＰＵ）１１はそのＯＮ信号を検出することにより（ステップＦ１２）、ＲＡＭ１７からユーザが指定した化学物質データを読み出す（ステップＦ１３）。ＲＡＭ１７には、予め特定のアプリケーションソフトを用いて入力された化学物質データ、あるいは、記録媒体２０などを介して外部から提供された化学物質データが格納されている。制御部（ＣＰＵ）１１は、このＲＡＭ１７の中からユーザが指定した化学物質データに含まれる画像情報を読み出すと、これをＲＡＭ１７に設けられた表示バッファ１７ａにドット単位で展開することにより、図１２（ａ）に示すように液晶表示部１３の画面上に表示する（ステップＦ１４）。
【０１０８】
続いて、画面上に表示された化学物質に関する画像に対し、図１２（ｂ）に示すようにユーザがペン１４ａあるいは図示せぬマウスなどの操作により、現在表示されている画像の一部を範囲指定すると（ステップＵＦ１３）、制御部（ＣＰＵ）１１はその指定された範囲のＸ，Ｙ座標を検出することにより（ステップＦ１５）、その座標情報に基づいて指定範囲内の化学物質に関する特定の画像を認識して、これを取り込むと共に、当該画像に添付された化学物質の成分情報（化学物質の名称や濃度等を含む）をＲＡＭ１７に記憶された元データから判別して当該画像と共にＲＡＭ１７に設けられた化学物質メモリ１７ｄに格納する（ステップＦ１６）。
【０１０９】
また、制御部（ＣＰＵ）１１は、その化学物質に対応したシンボルマーク（記号等）をＲＡＭ１７に設けられた化学物質シンボルテーブル１７ｅから読み出すことにより、前記指定範囲内の画像に代えて表示する（ステップＦ１７）。この状態が図１２（ｃ）である。
【０１１０】
このように本装置の機能６によれば、化学物質に関する画像が表示された場合に、その画像の一部を範囲指定することで、その指定範囲内の画像に添付された化学物質の成分情報と共に取り込むことができ、また、その化学物質の成分情報を視覚的に容易な画像（シンボルマーク）に変換してユーザに提示することができる。
【０１１１】
（機能７）
次に、本装置に備えられた機能７について、図１４および図１５を参照して説明する。図１４は本装置の機能７に関する表示例、図１５はその機能７に関するフローチャートである。
【０１１２】
機能７では、教科書等に挿入されている挿し絵などの画像情報を画面上で指定し、その画像情報に関連した説明文などのテキストデータと共に本装置に取り込むようにしたものである。
【０１１３】
具体的に説明すると、今、例えば図１４（ａ）に示すように、印刷物である教科書をＯＣＲで読み取ったデータあるいは電子教科書のデータが画面上に表示されているものとする。この教科書データは、文章（テキスト）９１と挿し絵（画像）９２からなる。ここで、図１４（ｂ）に示すように、ユーザがマウスポインタ等で挿し絵９２の部分を範囲指定すると、その指定範囲９３に存在する挿し絵９２の画像が取り込まれる。また、図１４（ｃ）に示すように、ユーザがマウスポインタ等で文章９１の一部（挿し絵９２について説明している部分など）を範囲指定すると、その指定範囲９４に存在する文章９１ａが取り込まれる。このようにしてユーザの範囲指定によって取り込まれた挿し絵９２の画像と文章９１ａのテキストデータは互いに関連付けられて本装置のメモリ（ＲＡＭ１７）に保持される。
【０１１４】
以下に、このような機能７を実現するための本装置の処理動作について図１４のフローチャートを参照しながら説明する。なお、図１４（ａ）は本装置の制御部（ＣＰＵ）１１によって実行される機能７に関する処理、同図（ｂ）は本装置に対するユーザの操作手順を示している。
【０１１５】
ユーザがキー入力部１２に設けられたＯＮキーｋ１を押下するなどして本装置をＯＮすると（ステップＵＧ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＧ１１）。
【０１１６】
ここで、ユーザがキー入力部１２に設けられた電子教科書表示キーｋ７を押下して電子教科書の表示機能をＯＮした後、任意のページを指定すると（ステップＵＧ１２，ＵＧ１３）、制御部（ＣＰＵ）１１はそのＯＮ信号を検出することにより（ステップＧ１３）、ＲＡＭ１７からユーザが指定したページの教科書データを読み出す（ステップＧ１４）。ＲＡＭ１７には、予め特定のアプリケーションソフトを用いて入力された教科書データ、あるいは、記録媒体２０などを介して外部から提供された教科書データが格納されている。この教科書データには、複数のページからなり、各ページ毎に文章などのテキストデータと挿し絵などの画像情報を含む。制御部（ＣＰＵ）１１は、このＲＡＭ１７の中からユーザが指定したページの教科書データを構成するテキストデータと画像情報を読み出すと、これをＲＡＭ１７に設けられた表示バッファ１７ａにドット単位で展開することにより、図１４（ａ）に示すように液晶表示部１３の画面上に表示する（ステップＧ１５）。
【０１１７】
続いて、画面上に表示された教科書データに対し、図１４（ｂ）に示すようにユーザがペン１４ａあるいは図示せぬマウスなどの操作により、現在表示されている挿し絵の部分を範囲指定すると（ステップＵＧ１４，ＵＧ１５）、制御部（ＣＰＵ）１１はその指定された範囲のＸ，Ｙ座標を検出することにより（ステップＧ１６，Ｇ１７）、その座標情報に基づいて指定範囲内に存在する画像情報を認識して、この画像情報を取り込んで、ＲＡＭ１７に設けられた図示せぬバッファに一時的に保持しておく（ステップＧ１８）。
【０１１８】
また、前記教科書データに対し、図１４（ｃ）に示すようにユーザがペン１４ａあるいは図示せぬマウスなどの操作により、現在表示されている文章の中の前記挿し絵に対応した説明文を範囲指定すると（ステップＵＧ１６）、制御部（ＣＰＵ）１１はその指定された範囲のＸ，Ｙ座標を検出することにより（ステップＧ１９）、その座標情報に基づいて指定範囲内に存在するテキストデータを認識して、このテキストデータを当該挿し絵画像の関連データとして取り込み、ＲＡＭ１７に設けられた図示せぬバッファに一時的に保持しておく（ステップＧ２０）。
【０１１９】
このようにして、ユーザの範囲指定に従って挿し絵の画像情報とその説明文のテキストデータを取り込むと、制御部（ＣＰＵ）１１はこれらをバッファから読み出してＲＡＭ１７に設けられた教科書メモリ１７ｆに関連付けて記憶する（ステップＧ２１）。
【０１２０】
このように本装置の機能７によれば、教科書の各ページに挿入されている挿し絵などの画像情報をその挿し絵の説明文などの関連データと共に取り込んで記憶することができ、後にその画像情報と関連データを読み出して参照することができる。
【０１２１】
なお、ここでは教科書のデータを取り込む場合を想定して説明したが、教科書に限らず、例えば雑誌などであっても良く、要は何らかの挿し絵の画像を含んだデータを対象として本機能を適用することができる。
【０１２２】
（機能８）
次に、本装置に備えられた機能８について、図１６および図１７を参照して説明する。図１６は本装置の機能８に関する表示例、図１７はその機能８に関するフローチャートである。
【０１２３】
機能８では、グラフの一部を取り込んで他のグラフに張り付けることにより、新たなグラフを作成すると共に、その新たなグラフに応じたグラフ式を算出するものである。
【０１２４】
具体的に説明すると、例えば図１６（ａ）に示すように、グラフ表示機能において、Ｙ＝Ｘ／２といったグラフ１０１が画面上に表示されているものとする。ここで、図１６（ｂ）に示すように、このグラフ１０１の一部をマウスポインタ等で範囲指定して、その指定された範囲内のグラフ画像を取り込む。そして、図１６（ｃ）に示すようなＹ＝−Ｘ＋３といったグラフ１０３に対して、前記グラフ１０１から取り込んだ指定範囲内のグラフ画像を張り付けると、図１６（ｄ）に示すように、グラフの接合部分が変更されて新たなグラフ１０４が作成されて画面上に表示される。また、その際にそのグラフ１０４の数式が算出されて表示される。この例では、Ｙ＝−Ｘ＋３（Ｘ＜２）、Ｙ＝Ｘ／２（Ｘ≧２）といったグラフ式が表示されている。
【０１２５】
以下に、このような機能８を実現するための本装置の処理動作について図１７のフローチャートを参照しながら説明する。なお、図１７（ａ）は本装置の制御部（ＣＰＵ）１１によって実行される機能８に関する処理、同図（ｂ）は本装置に対するユーザの操作手順を示している。
【０１２６】
ユーザがキー入力部１２に設けられたＯＮキーｋ１を押下するなどして本装置をＯＮすると（ステップＵＨ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＨ１１）。
【０１２７】
ここで、ユーザがキー入力部１２に設けられたグラフ表示キーｋ８を押下してグラフ表示機能をＯＮすると（ステップＵＨ１２）、制御部（ＣＰＵ）１１はそのＯＮ信号を検出することにより（ステップＨ１２）、ＲＡＭ１７からユーザが指定したグラフデータを読み出して表示する（ステップＨ１３）。ＲＡＭ１７には、予め特定のアプリケーションソフトを用いてユーザが任意に作成したグラフデータ、あるいは、記録媒体２０などを介して外部から提供されたグラフデータが格納されている。制御部（ＣＰＵ）１１は、このＲＡＭ１７の中からユーザが指定したグラフデータを読み出すと、これをＲＡＭ１７に設けられた表示バッファ１７ａにドット単位で展開することにより、図１６（ａ）に示すように液晶表示部１３の画面上に表示する。
【０１２８】
続いて、画面上に表示されたグラフに対し、図１６（ｂ）に示すようにユーザがペン１４ａあるいは図示せぬマウスなどの操作により当該グラフの一部を範囲指定すると（ステップＵＨ１３）、制御部（ＣＰＵ）１１はその指定された範囲の位置情報を検出することにより（ステップＨ１４）、その位置情報をグラフ表示画面上のＸ，Ｙ座標に変換して（ステップＨ１５）、当該指定範囲内のグラフ画像をそのグラフ式と共に取り込んで、ＲＡＭ１７に設けられたグラフメモリ１７ｇに格納する（ステップＨ１６）。
【０１２９】
このようにしてグラフ画像が取り込まれた後、ユーザが別グラフの表示を前記グラフ表示キーｋ８の押下操作によって指示すると（ステップＵＨ１４）、制御部（ＣＰＵ）１１は前記同様にしてユーザが指定した別のグラフを表示バッファ１７ａに展開して液晶表示部１３の画面上に表示する（ステップＨ１８）。この状態が図１６（ｃ）である。
【０１３０】
ここで、ユーザがキー入力部１２に設けられたグラフメモリキーｋ９を押下してグラフメモリ１７ｇ内のグラフ画像の呼び出しを指定すると共に、そのグラフ画像を張り付ける位置をペン１４ａあるいは図示せぬマウスなどの操作により指定する（ステップＵＨ１４，ＵＨ１５）。これにより、制御部（ＣＰＵ）１１は、まず、前記グラフメモリ１７ｇに取り込んだ各グラフ画像の中からユーザが指定したグラフ画像を読み出す（ステップＨ１９）。そして、制御部（ＣＰＵ）１１はユーザが指定した張り付け位置のグラフ画面上のＸ，Ｙ座標を検出し（ステップＨ２０，Ｈ２１）、そこに前記グラフメモリ１７ｇから読み出したグラフ画像を張り付けることにより、図１６（ｄ）に示すように２つのグラフを指定位置で合成して新たなグラフを作成し、そのグラフを画面上に再表示する（ステップＨ２２）。また、その際に元の２つのグラフ式に基づいて合成後の新たなグラフの式を求め、そのグラフ式を表示する（ステップＨ２３）。
【０１３１】
このように本装置の機能８によれば、グラフ表示機能において、画面上に表示されたグラフの一部を取り込み、これを別のグラフに張り付けて新たなグラフを作成することができ、また、そのグラフ式を導出することが可能になる。
【０１３２】
（機能９）
次に、本装置に備えられた機能９について、図１８および図１９を参照して説明する。図１８は本装置の機能９に関する表示例、図１９はその機能９に関するフローチャートである。
【０１３３】
機能９では、ＴＶ画像などの外部から取得した画像を対象として、画面上で任意の画像を指定することにより、当該画像に添付された情報と共に本装置に取り込むようにしたものである。
【０１３４】
具体的に説明すると、例えば図１８（ａ）に示すように、ＴＶ放送を本装置にて受信して、そのＴＶ画像１１１を画面上に表示しているものとする。ここで、図１８（ｂ）に示すように、何らかの範囲指定システムを用いて、現在画面上に表示されているＴＶ画像１１１の一部を範囲指定して、その指定範囲に存在する画像を静止画として取り込み、本装置内のメモリ（ＲＡＭ１７）に保存する。その際、何らかの情報が当該画像に添付されて送られて来ている場合には、その添付情報も取り込んでおく。例えば、化学番組の化学薬品物に関する画像が表示されている場合において、その画像に添付されている薬品の成分情報等を同時に取り込む。これにより、図１８（ｃ）に示すように、ＴＶ画像から取り込んだ画像１１３を後に別エリアに張り付けて利用するときにその添付情報１１４を一緒に張り付けることができる。
【０１３５】
以下に、このような機能９を実現するための本装置の処理動作について図１９のフローチャートを参照しながら説明する。なお、図１９（ａ）は本装置の制御部（ＣＰＵ）１１によって実行される機能９に関する処理、同図（ｂ）は本装置に対するユーザの操作手順を示している。
【０１３６】
ユーザがキー入力部１２に設けられたＯＮキーｋ１を押下するなどして本装置をＯＮすると（ステップＵＩ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＩ１１）。
【０１３７】
ここで、ユーザがキー入力部１２に設けられたＴＶ表示キーｋ１０を押下して本装置に備えられたＴＶ表示アプリケーションをＯＮすると（ステップＵＩ１２）、制御部（ＣＰＵ）１１はそのＯＮ信号を検出することによりＴＶ放送を受信して、そのＴＶ画像を液晶表示部１３の画面上に表示する（ステップＩ１２）。詳しくは、図１に示すように本装置に設けられたインターフェース２２にＴＶチューナ２３を接続しておき、ＴＶチューナ２３にて受信されるＴＶ放送の画像情報と音声情報をインターフェース２２を介して入力し、そのうちの画像情報を液晶表示部１３に表示し、音声情報を図示せぬスピーカを通じて出力する。なお、図１では、ＴＶチューナ２３を外部接続する構成としているが、例えばＴＶチューナ２３を内蔵した構成あるいはカード形式にて本装置に着脱自在に装着するような構成であっても良い。
【０１３８】
このようにしてＴＶ画像が表示された状態において、図１８（ｂ）に示すように、ユーザがペン１４ａあるいは図示せぬマウスなどの操作により、あるシーンのＴＶ画像を画面上で範囲指定すると（ステップＵＩ１３）、制御部（ＣＰＵ）１１はその指定された範囲のＸ，Ｙ座標を検出することにより（ステップＩ１３）、その座標情報に基づいて指定範囲内に存在する特定の画像を認識して、この画像を取り込み、所定の圧縮方式にて圧縮するなどしてＲＡＭ１７に設けられた図示せぬバッファに一時的に保持しておく（ステップＩ１４）。その際、制御部（ＣＰＵ）１１は当該画像に添付情報があるか否かを判断する（ステップＩ１５）。その結果、当該画像に対して何らかのデータが予め添付されて提供されている場合には（ステップＩ１５のＹｅｓ）、制御部（ＣＰＵ）１１はその添付情報も取り込み、所定の圧縮方式にて圧縮してから前記バッファに一時的に保持しておく（ステップＩ１６）。そして、制御部（ＣＰＵ）１１は前記バッファから画像情報と添付情報を読み出し、これらを関連付けてＲＡＭ１７に設けられたＴＶメモリ１７ｈに記憶する（ステップＩ１７）。
【０１３９】
このようにして、ＴＶ画像から指定範囲内の画像情報と添付情報を本装置に取り込んだ後、ユーザが所定の操作により画像編集用の特定のアプリケーションの起動を指示した後、キー入力部１２に設けられたＴＶメモリキーｋ１１の押下によりＴＶメモリ１７ｈ内のＴＶ画像の呼び出しを指示すると（ステップＵＩ１４，ＵＩ１５）、以下のような処理が実行される。
【０１４０】
すなわち、制御部（ＣＰＵ）１１は、ＴＶ画像から取り込んだ画像をユーザの指示に従ってＲＡＭ１７のＴＶメモリ１７ｈから読み出し、これを表示バッファ１７ａに展開して液晶表示部１３の画面上に表示する（ステップＩ１８〜Ｉ２０）。
【０１４１】
ここで、ユーザがペン１４ａあるいは図示せぬマウスなどの操作により画像の張り付け位置を指定すると（ステップＵＩ１６）、制御部（ＣＰＵ）１１は画面上における指定位置のＸ，Ｙ座標を検出して（ステップＩ２１）、図１８（ｃ）に示すように、その座標情報に基づいて指定位置にＴＶメモリ１７ｈから読み出した画像を張り付けて再表示する（ステップＩ２２）。また、その際に、制御部（ＣＰＵ）１１はＴＶメモリ１７ｈを検索して当該画像に添付情報があるか否かを判断する（ステップＩ２３）。添付情報がある場合には（ステップＩ２３のＹｅｓ）、制御部（ＣＰＵ）１１はその添付情報をＴＶメモリ１７ｈから読み出し、これを当該画像の近傍に表示する（ステップＩ２４）。
【０１４２】
このように本装置の機能９によれば、ＴＶ放送中に画面上に表示された画像情報をユーザの範囲指定に従って任意選択的に取り込むことができ、後にその画像情報を参照、編集することが可能になる。また、その画像情報に何らかの情報が添付されているような場合には、その添付情報を同時に取り込んでおくことにより、画像表示時に一緒に参照することができる。
【０１４３】
（機能１０）
次に、本装置に備えられた機能１０について、図２０および図２１を参照して説明する。図２０は本装置の機能１０に関する表示例、図２１はその機能１０に関するフローチャートである。
【０１４４】
機能１０では、グラフ表示機能において、複数のグラフのｚ座標を指定することによって、各グラフを合成処理して３Ｄグラフの作成を可能とするものである。
【０１４５】
具体的に説明すると、複数の２Ｄグラフを画像情報として、そのグラフ式と共に本装置のメモリ（ＲＡＭ１７）に取り込む。これらのグラフをグラフ表示画面上に張り付けるときに、それぞれにｚ座標を与えて張り付ける。すなわち、図２０（ａ）〜（ｃ）に示すように、例えばグラフ１２１をＺ＝１で張り付け、グラフ１２２をＺ＝２で張り付け、グラフ１２３をＺ＝３で張り付ける。これを繰り返すことによって、図２０（ｄ）に示すような３Ｄグラフ１２４が完成され、指定に応じて数式を算出することも可能になる。
【０１４６】
以下に、このような機能１０を実現するための本装置の処理動作について図２１のフローチャートを参照しながら説明する。なお、図２１（ａ）は本装置の制御部（ＣＰＵ）１１によって実行される機能１０に関する処理、同図（ｂ）は本装置に対するユーザの操作手順を示している。
【０１４７】
ユーザがキー入力部１２に設けられたＯＮキーｋ１を押下するなどして本装置をＯＮすると（ステップＵＪ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＪ１１）。
【０１４８】
ここで、ユーザが所定の操作によりグラフアプリケーションの起動を指示すると（ステップＵＪ１２）、制御部（ＣＰＵ）１１はそのアプリケーション起動指示を受けて所定のグラフ画面を表示した後（ステップＪ１２）、以下のような処理を実行する。
【０１４９】
すなわち、ユーザによりグラフ画像の呼び出し指示があると（ステップＵＪ１３）、制御部（ＣＰＵ）１１はＲＡＭ１７に設けられたグラフメモリ１７ｇからユーザが指定したグラフ画像を呼び出し、これを表示バッファ１７ａに展開して液晶表示部１３の画面上に表示する（ステップＪ１３，Ｊ１４）。なお、グラフメモリ１７ｇには、複数の２Ｄグラフの画像がそのグラフ式と共に格納されているものとする。
【０１５０】
続いて、ユーザによりＺ座標の値が指定されると（ステップＵＪ１４）、制御部（ＣＰＵ）１１はその指定されたＺ座標値をＲＡＭ１７に設けられた図示せぬバッファに格納した後（ステップＪ１５）、当該グラフ画像をそのＺ座標値で変換する（ステップＪ１６）。そして、直前処理したグラフ画像があれば、そのグラフ画像と合成処理する（ステップＪ１７）。このような処理を確定指示があるまで繰り返し行うことにより、各グラフ画像をそれぞれに指定されたＺ座標値で合成しながら３Ｄグラフを作成する（ステップＵＪ１５）。
【０１５１】
そして、確定指示があると（ステップＵＪ１６，Ｊ１８）、制御部（ＣＰＵ）１１はその時点で完成された合成画像（３Ｄグラフ）をグラフメモリ１７ｇに保存する（ステップＪ１９）。その際、この合成画像を構成する各グラフの式に基づいて当該合成画像に対応したグラフ式を算出して一緒に保存すると共に（ステップＪ２０）、当該合成画像を表示バッファ１７ａに展開して画面上に表示する（ステップＪ２１）。これにより、例えば図２０（ｄ）に示すような３Ｄグラフが表示されることになる。
【０１５２】
このように本装置の機能１０によれば、グラフ表示機能において、本装置に取り込んだ複数のグラフ画像を呼び出し、これらのＺ座標を指定して張り付けていくことで３Ｄグラフを作成することができる。
【０１５３】
（機能１１）
次に、本装置に備えられた機能１１について、図２２乃至図２４を参照して説明する。図２２は本装置の機能１１に関する表示例、図２３および図２４はその機能１１に関するフローチャートである。
【０１５４】
機能１１では、例えば写真などの画像が表示された画面上において、指定位置にコメントを書き込み、これを当該画像と共に本装置に取り込むようにしたものである。
【０１５５】
具体的に説明すると、例えば図２２（ａ）に示すような画像１３１が画面上に表示されているものとする。この画面上にてユーザがマウスポインタ等により範囲を指定すると、図２２（ｂ）に示すように、その指定範囲に表示されるエリア１３２にコメントデータを任意に書き込んで画像１３１と共に本装置のメモリ（ＲＡＭ１７）に取り込むことができる。また、画像呼び出し時において、図２２（ｃ）に示すように画像１３１のみを表示したり、図２２（ｄ）に示すように画像１３１にコメントデータを重ねて表示することができる。
【０１５６】
以下に、このような機能１１を実現するための本装置の処理動作について図２３および図２４のフローチャートを参照しながら説明する。なお、図２３はデータ記録時の処理を示しており、図２３（ａ）は本装置の制御部（ＣＰＵ）１１によって実行される機能１１に関するデータ記録処理、同図（ｂ）は本装置に対するユーザの操作手順を示している。また、図２４はデータ呼び出し時の処理を示しており、図２４（ａ）は本装置の制御部（ＣＰＵ）１１によって実行される機能１１に関するデータ呼び出し処理、同図（ｂ）は本装置に対するユーザの操作手順を示している。
【０１５７】
［データ記録処理］
まず、データ記録処理について説明する。
【０１５８】
図２３に示すように、ユーザがキー入力部１２に設けられたＯＮキーｋ１を押下するなどして本装置をＯＮすると（ステップＵＫ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＫ１１）。
【０１５９】
ここで、ユーザが所定の操作により画像表示アプリケーションの起動を指示すると（ステップＵＫ１２）、制御部（ＣＰＵ）１１はそのアプリケーション起動指示を受けて（ステップＫ１２）、以下のような処理を実行する。
【０１６０】
すなわち、ユーザにより画像の呼び出し指示があると（ステップＵＫ１３）、制御部（ＣＰＵ）１１はＲＡＭ１７や記録媒体２０などの所定の記憶装置からユーザが指定した画像情報を呼び出し、これを表示バッファ１７ａに展開して液晶表示部１３の画面上に表示する（ステップＫ１３，Ｋ１４）。このときの画像表示例を図２２（ａ）に示す。なお、画像情報の種類は特に限定されるものではない。
【０１６１】
続いて、ユーザがペン１４ａあるいは図示せぬマウスなどの操作により範囲を指定すると（ステップＵＫ１４）、制御部（ＣＰＵ）１１は画面上における指定位置のＸ，Ｙ座標を検出して（ステップＫ１５）、図２２（ｂ）に示すように、その座標情報に基づいて指定範囲にコメント書き込みエリアを表示する（ステップＫ１６）。そして、ユーザがキー入力部１２を操作して前記コメント書き込みエリアの中にコメントデータを書き込むと（ステップＵＫ１５）、制御部（ＣＰＵ）１１はこのコメントデータを検出することにより（ステップＫ１７）、ＲＡＭ１７に設けられた図示せぬバッファに前記コメント書き込みエリアの位置情報と共に保持する（ステップＫ１８）。
【０１６２】
以後、ユーザのコメント書き込み操作が終了するまで前記同様の処理を繰り返す（ステップＵＫ１６）。そして、ユーザがコメント書き込みの終了指示を入力すると（ステップＵＫ１７）、制御部（ＣＰＵ）１１はその終了指示を検出することにより（ステップＫ１９）、前記バッファに保持された各コメントデータをその位置情報と共に現在表示されている画像情報とを関連付けてＲＡＭ１７に設けられたコメントメモリ１７ｊに保存する（ステップＫ２０）。
【０１６３】
［データ呼び出し処理］
次に、データ呼び出し処理について説明する。
【０１６４】
図２４に示すように、ユーザがキー入力部１２に設けられたＯＮキーｋ１を押下するなどして本装置をＯＮすると（ステップＵＫ２１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＫ２１）。
【０１６５】
ここで、ユーザが所定の操作により画像表示アプリケーションの起動を指示すると（ステップＵＫ２２）、制御部（ＣＰＵ）１１はそのアプリケーション起動指示を受けて（ステップＫ２２）、以下のような処理を実行する。
【０１６６】
すなわち、ユーザがキー入力部１２に設けられたコメント表示切替えキーｋ１２の押下によりコメント表示の有無を指示すると（ステップＵＫ２３）、制御部（ＣＰＵ）１１はこのときの指示を検出することにより（ステップＫ２３）、コメント表示ありの指示か否かを判断する（ステップＫ２４）。コメント表示なしの指示の場合には（ステップＫ２４のＮｏ）、制御部（ＣＰＵ）１１はＲＡＭ１７の画像メモリ１７ｉからユーザが指定した画像情報を読み出して、これを表示バッファ１７ａに展開して液晶表示部１３の画面上に表示する（ステップＫ２５）。
【０１６７】
一方、コメント表示ありの指示の場合には（ステップＫ２４のＹｅｓ）、制御部（ＣＰＵ）１１は画像メモリ１７ｉからユーザが指定した画像情報を読み出して、これを表示バッファ１７ａに展開して液晶表示部１３の画面上に表示する読み出すと共に、当該画像情報に対応したコメントデータをコメントメモリ１７ｊから位置情報と共に読み出して、そのコメントデータを前記位置情報に基づいて画像情報に重ねて表示する（ステップＫ２５）。図２２（ｃ）はコメントなしの画像表示、図２２（ｄ）はコメントありの画像表示の例を示している。
【０１６８】
このように本装置の機能１１によれば、写真等の画像情報に対してコメントデータを付けて取り込むことができ、後に表示切替えにより、その画像情報をコメント付きで表示することが可能になる。
【０１６９】
（機能１２）
次に、本装置に備えられた機能１２について、図２５乃至図２７を参照して説明する。図２５は本装置の機能１２に関する表示例、図２６および図２７はその機能１２に関するフローチャートである。
【０１７０】
機能１２では、写真等の画像が表示されている場合に、その中に含まれるキャラクタ等の各画像に対してコメント入力用の吹き出しを設け、これらの吹き出しにコメントデータを書き込むと共に表示順を指定しておくことにより、画像呼び出し時に各吹き出しのコメントデータを指定の順番て表示するようにしたものである。
【０１７１】
具体的に説明すると、例えば図２５（ａ）に示すような画像１４１が画面上に表示されているものとする。この画面上にてユーザがマウスポインタ等により位置を指定すると、図２５（ｂ）に示すように、その指定された位置に表示される吹き出し１４２、１４３にコメントデータを任意に書き込んで画像１４１と共に本装置のメモリ（ＲＡＭ１７）に取り込むことができる。この場合、吹き出し１４２、１４３に表示順を指定することにより、その指定された表示順を示す情報を記憶しておく。これにより、画像１４１を呼び出したとき、図２５（ｃ）〜（ｅ）に示すように、コメントデータが書き込まれた吹き出し１４２、１４３が指定された表示順に従って表示される。このように、一つの画像ファイルに対して吹き出しの段階表示を行うことが可能になる。
【０１７２】
以下に、このような機能１２を実現するための本装置の処理動作について図２６および図２７のフローチャートを参照しながら説明する。なお、図２６はデータ記録時の処理を示しており、図２６（ａ）は本装置の制御部（ＣＰＵ）１１によって実行される機能１２に関するデータ記録処理、同図（ｂ）は本装置に対するユーザの操作手順を示している。また、図２７はデータ呼び出し時の処理を示しており、図２７（ａ）は本装置の制御部（ＣＰＵ）１１によって実行される機能１２に関するデータ呼び出し処理、同図（ｂ）は本装置に対するユーザの操作手順を示している。
【０１７３】
［データ記録処理］
まず、データ記録処理について説明する。
【０１７４】
図２６に示すように、ユーザがキー入力部１２に設けられたＯＮキーｋ１を押下するなどして本装置をＯＮすると（ステップＵＬ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＬ１１）。
【０１７５】
ここで、ユーザが所定の操作により画像表示アプリケーションの起動を指示すると（ステップＵＬ１２）、制御部（ＣＰＵ）１１はそのアプリケーション起動指示を受けて（ステップＬ１２）、以下のような処理を実行する。
【０１７６】
すなわち、ユーザにより画像の呼び出し指示があると（ステップＵＬ１３）、制御部（ＣＰＵ）１１はＲＡＭ１７や記録媒体２０などの所定の記憶装置からユーザが指定した画像情報を呼び出し、これを表示バッファ１７ａに展開して液晶表示部１３の画面上に表示する（ステップＬ１３，Ｌ１４）。このときの画像表示例を図２５（ａ）に示す。なお、画像情報の種類は特に限定されるものではない。
【０１７７】
続いて、ユーザがペン１４ａあるいは図示せぬマウスなどの操作により吹き出し表示位置を指定すると（ステップＵＬ１４）、制御部（ＣＰＵ）１１は画面上における指定位置のＸ，Ｙ座標を検出して（ステップＬ１５）、図２５（ｂ）に示すように、その座標情報に基づいて指定位置にコメント書き込み用の吹き出しを表示する（ステップＬ１６）。そして、ユーザがキー入力部１２を操作して前記吹き出しの中にコメントデータを書き込むと（ステップＵＬ１５）、制御部（ＣＰＵ）１１はこのコメントデータを検出して（ステップＬ１７）、ＲＡＭ１７に設けられた図示せぬバッファに吹き出しの位置情報と共に保持する（ステップＬ１８）。
【０１７８】
また、この吹き出しに対してユーザが表示順位を指定した場合には（ステップＵＬ１６）、制御部（ＣＰＵ）１１はその表示順データを含めて前記バッファに保持する（ステップＬ２０）。図２５（ｂ）の例では、吹き出し１４２に対して表示順１、吹き出し１４３に対して表示順２を指定した場合が示されている。これらの吹き出し１４２、１４３には、ユーザが書き込んだコメントデータが設定されている。
【０１７９】
以後、ユーザのコメント書き込み操作が終了するまで前記同様の処理を繰り返す（ステップＵＬ１７）。そして、ユーザがコメント書き込みの終了指示を入力すると（ステップＵＬ２１）、制御部（ＣＰＵ）１１はその終了指示を検出することにより（ステップＬ２１）、前記バッファに保持された各吹き出しのコメントデータを指定表示順にソートした後（ステップＬ２２）、これらをその位置情報と共に現在表示されている画像情報とを関連付けてＲＡＭ１７に設けられた吹き出しメモリ１７ｋに保存する（ステップＬ２３）。
【０１８０】
［データ呼び出し処理］
次に、データ呼び出し処理について説明する。
【０１８１】
図２７に示すように、ユーザがキー入力部１２に設けられたＯＮキーｋ１を押下するなどして本装置をＯＮすると（ステップＵＬ２１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＬ２１）。
【０１８２】
ここで、ユーザが所定の操作により画像表示アプリケーションの起動を指示すると（ステップＵＬ２２）、制御部（ＣＰＵ）１１はそのアプリケーション起動指示を受けて、ユーザが指定した画像をＲＡＭ１７の画像メモリ１７ｉから読み出して液晶表示部１３の画面上に表示した後（ステップＬ２２，Ｌ２３）、以下のような処理を実行する。
【０１８３】
すなわち、ユーザがキー入力部１２に設けられた吹き出し表示キーｋ１３の押下により吹き出しの表示を指示すると（ステップＵＬ２３）、制御部（ＣＰＵ）１１はこの吹き出し表示指示を検出することにより（ステップＬ２４）、当該画像情報に対応した各吹き出しのコメントデータをＲＡＭ１７の吹き出しメモリ１７ｋから指定の表示順に従って位置情報と共に読み出し（ステップＬ２５）、これらを所定の時間間隔で画像情報に重ねて順に表示する（ステップＬ２６，Ｌ２７）。すなわち、まず、図２５（ｄ）に示すように画像情報の中に吹き出し１４２を表示し、次に図２５（ｅ）に示すように吹き出し１４３を表示する。なお、各吹き出しの表示間隔は予め固定的に設定されていても良いし、ユーザが任意に設定できるようにしても良い。
【０１８４】
このように本装置の機能１２によれば、写真等の画像情報に対して、コメントデータを書き込むための吹き出しを複数設けて、これらの吹き出しに入力されたコメントデータを指定の順で表示することが可能になる。
【０１８５】
（機能１３）
次に、本装置に備えられた機能１３について、図２８および図２９を参照して説明する。図２８は本装置の機能１３に関する表示例、図２９はその機能１３に関するフローチャートである。
【０１８６】
機能１３では、外部から取得したＴＶ番組表が画面上に表示された状態で、そのＴＶ番組表の一部を範囲指定して本装置に取り込み、その番組情報に基づいて録画設定を行うようにしたものである。
【０１８７】
具体的に説明すると、例えば図２８（ａ）に示すようなＴＶ番組表１５１が画面上に表示されているものとする。このＴＶ番組表１５１は、例えばインターネット上のあるサイトから提供されたものである。ここで、図２８（ｂ）に示すように、ユーザがペン１４ａなどを用いてＴＶ番組表１５１の中で録画したい番組を範囲指定すると、図２８（ｃ）に示すように、その指定範囲１５２内の画像１５３が取り込まれ、本装置のメモリ（ＲＡＭ１７）に格納される。本装置に搭載された録画アプリケーションは、このメモリに格納された画像１５３の中から時刻情報と番組名などを検出して録画設定を可能とする。
【０１８８】
以下に、このような機能１３を実現するための本装置の処理動作について図２９のフローチャートを参照しながら説明する。なお、図２９（ａ）は本装置の制御部（ＣＰＵ）１１によって実行される機能１３に関する処理、同図（ｂ）は本装置に対するユーザの操作手順を示している。
【０１８９】
ユーザがキー入力部１２に設けられたＯＮキーｋ１を押下するなどして本装置をＯＮすると（ステップＵＭ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＭ１１，Ｍ１２）。
【０１９０】
ここで、ユーザがキー入力部１２に設けられたブラウザキーｋ４の押下により本装置に備えられたブラウザ機能の起動を指示すると共に、データ入力キー１２ａを操作して、インターネット上のあるサイトのＵＲＬ（Ｕｎｉｆｏｒｍ　Ｒｅｓｏｕｒｃｅ　Ｌｏｃａｔｏｒ）を入力すると（ステップＵＭ１２，ＵＭ１３）、制御部（ＣＰＵ）１１はその起動コマンドとＵＲＬを検出することにより（ステップＭ１２，Ｍ１３）、通信制御部２１を通じてインターネットに接続し、前記ＵＲＬで指定されたサイトからＴＶ番組表を取得し（ステップＭ１４）、これをＲＡＭ１７に設けられた表示バッファ１７ａに展開して液晶表示部１３の画面上に表示する（ステップＭ１５）。図２８（ａ）にＴＶ番組表の表示例を示す。
【０１９１】
続いて、画面上に表示されたＴＶ番組表に対し、ユーザがペン１４ａあるいは図示せぬマウスなどの操作により、録画したい番組欄を範囲指定すると（ステップＵＭ１４）、制御部（ＣＰＵ）１１はその指定範囲のＸ，Ｙ座標を検出することにより（ステップＭ１６）、その座標情報に基づいて指定範囲内に存在する画像を認識して、その画像を取り込みむと共に当該画像に添付された番組情報（チャンネル、時間帯等）を同時に取り込んで、それぞれＲＡＭ１７に設けられたＴＶメモリ１７ｈに格納する（ステップＭ１７）。
【０１９２】
このようにして、ＴＶ番組表から録画対象とする番組の画像とその番組情報を取り込んだ後、本装置に搭載された録画アプリケーションの起動が指示されると（ステップＵＭ１５）、制御部（ＣＰＵ）１１はそのアプリ起動指示を検出することにより（ステップＭ１８）、本装置に搭載された録画アプリケーションを起動する（ステップＭ１９）。ここで、前記ＴＶメモリ１７ｈに記憶された番組画像をこの録画アプリケーション上に呼び出す操作を行うことにより（ステップＵＭ１６）、制御部（ＣＰＵ）１１はその番組画像に添付された番組情報（チャンネル、時間帯等）を検出して録画設定を行う（ステップＭ２０，Ｍ２１）。詳しくは、図１に示すように、例えばインターフェース２２に接続された録画装置２４に対して前記検出した番組情報を出力することにより、その番組情報に記述されたチャンネルと時間帯等を設定するものである。
【０１９３】
このように本装置の機能１３によれば、例えばＷｅｂサイトなどから得たＴＶ番組表から任意の番組に関する情報を取り込み、その番組情報を録画設定に利用することができる。
【０１９４】
（機能１４）
次に、本装置に備えられた機能１４について、図３０および図３１を参照して説明する。図３０は本装置の機能１４に関する表示例、図３１はその機能１４に関するフローチャートである。
【０１９５】
機能１４では、前記機能１３によって取り込んだＴＶ番組表の画像をそのまま録画ファイルのインデックスとして利用するものである。
【０１９６】
具体的に説明すると、今、図３０（ａ）に示すようにＴＶ番組表から取り込んだ画像１５３に基づいて録画を行ったものとする。このとき、図３０（ｂ）に示すように、録画したデータファイルに対して前記画像１５３をインデックスとして付して保存しておく。
【０１９７】
以下に、このような機能１４を実現するための本装置の処理動作について図２９のフローチャートを参照しながら説明する。なお、図２９（ａ）は本装置の制御部（ＣＰＵ）１１によって実行される機能１３に関する処理、同図（ｂ）は本装置に対するユーザの操作手順を示している。
【０１９８】
前記機能１３によりＴＶ番組表の中で範囲指定された画像がＲＡＭ１７のＴＶメモリ１７ｈに記憶され、その画像に添付された番組情報に基づいて録画装置２４にてＴＶ番組の録画が行われたものとする。
【０１９９】
制御部（ＣＰＵ）１１は録画装置２４から録画終了信号を検出すると（ステップＮ１１）、録画終了コメントを表示するなどしてユーザに録画が終了した旨を通知する（ステップＮ１２）。ここで、ユーザから番組表画像の呼び出し指示があると（ステップＵＮ１１）、制御部（ＣＰＵ）１１はその呼び出し指示を検出することにより（ステップＮ１３）、ＲＡＭ１７のＴＶメモリ１７ｈから該当ＴＶ番組の画像を読み出し（ステップＮ１４）、表示バッファ１７ａに展開して液晶表示部１３の画面上に表示する（ステップＮ１５）。そして、制御部（ＣＰＵ）１１はこの画像を録画データに付加するか否かをメッセージ出力する（ステップＮ１６）。
【０２００】
ユーザから付加する旨の指示があると（ステップＵＮ１２）、制御部（ＣＰＵ）１１はその指示を検出することにより（ステップＮ１７）、現在表示中の画像（つまり、録画データに対応したＴＶ番組の画像）をインデックスとして前記録画データをＲＡＭ１７に設けられた録画メモリ１７ｌに保存する（ステップＮ１８）。
【０２０１】
このように本装置の機能１４によれば、取り込んだＴＶ番組表の画像を録画データのインデックスとして利用して保存することができ、後にこのインデックスから所望の録画データを検索できるようになる。
【０２０２】
（機能１５）
次に、本装置に備えられた機能１５について、図３２および図３３を参照して説明する。図３２は本装置の機能１５に関する表示例、図３３はその機能１５に関するフローチャートである。
【０２０３】
機能１５では、ＴＶ放送中の画像の一部を画面上で指定することにより、その指定された画像を当該画像に付加された情報と共に本装置に取り込んで表示するようにしたものである。
【０２０４】
具体的に説明すると、例えば図３２（ａ）に示すように、キャラクタ１６１、１６２を有するＴＶ画像が表示されているものとする。この場合、放送されているＴＶ画像には、部分的に特定の情報が付加されて提供されており、ユーザの範囲指定がこの部分に対してなされた場合に画面上に所定の位置にその範囲指定内の画像を表示すると共に、その画像の付加情報を表示する。すなわち、図３２（ｂ）に示すように、例えばユーザが画面上でマウスポインタ等を用いて範囲指定すると、その指定範囲１６３に存在するキャラクタ１６２の画像が静止画として取り込まれる。その際、キャラクタ１６２の画像から付加情報（ここでは電話機１６４）が検出され、キャラクタ１６２の画像と共に図３２（ｃ）に示すように画面上の所定の位置に表示される。
【０２０５】
以下に、このような機能１５を実現するための本装置の処理動作について図３３フローチャートを参照しながら説明する。なお、図１５（ａ）は本装置の制御部（ＣＰＵ）１１によって実行される機能３３に関する処理、同図（ｂ）は本装置に対するユーザの操作手順を示している。
【０２０６】
ユーザがキー入力部１２に設けられたＯＮキーｋ１を押下するなどして本装置をＯＮすると（ステップＵＯ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＯ１１）。
【０２０７】
ここで、ユーザがキー入力部１２に設けられたＴＶ表示キーｋ１０を押下して本装置に備えられたＴＶ表示アプリケーションをＯＮすると（ステップＵＯ１２）、制御部（ＣＰＵ）１１はそのＯＮ信号を検出することによりＴＶ放送を受信して、そのＴＶ画像を液晶表示部１３の画面上に表示する（ステップＯ１２）。詳しくは、図１に示すように本装置に設けられたインターフェース２２にＴＶチューナ２３を接続しておき、ＴＶチューナ２３にて受信されるＴＶ放送の画像情報と音声情報をインターフェース２２を介して入力し、そのうちの画像情報を液晶表示部１３に表示し、音声情報を図示せぬスピーカを通じて出力する。図３２（ａ）にＴＶ放送中の画像表示例を示す。
【０２０８】
なお、図１では、ＴＶチューナ２３を外部接続する構成としているが、例えばＴＶチューナ２３を内蔵した構成あるいはカード形式にて本装置に着脱自在に装着するような構成であっても良い。
【０２０９】
このようにしてＴＶ画像が表示された状態で、図３２（ｂ）に示すように、ユーザがペン１４ａあるいは図示せぬマウスなどの操作により、そのＴＶ画像の一部を画面上で範囲指定すると（ステップＵＯ１３）、制御部（ＣＰＵ）１１はその指定範囲のＸ，Ｙ座標を検出することにより（ステップＯ１３）、その座標情報に基づいて指定範囲内に存在するキャラクタ等の特定の画像を認識し、その画像に付加情報があるか否かを判断する（ステップＯ１４）。
【０２１０】
指定範囲内の画像に付加情報があった場合には（ステップＯ１４のＹｅｓ）、制御部（ＣＰＵ）１１はその付加情報を取り込み、画面上の所定の位置に表示すると共に（ステップＯ１５，Ｏ１６）、その付加情報を所定の圧縮方式にて圧縮してＲＡＭ１７に設けられたＴＶメモリ１７ｈに記憶する（ステップＯ１７）。また、制御部（ＣＰＵ）１１は前記指定範囲内の画像を画面上の所定の位置に表示すると共に（ステップＯ１８，Ｏ１９）、所定の圧縮方式にて圧縮して前記付加情報と関連付けて前記ＴＶメモリ１７ｈに記憶する（ステップＯ２０）。図３２（ｃ）の例では、キャラクタ１６２の画像が取り込み画像として画面上の所定の位置に表示され、また、このキャラクタ１６２の付加情報として携帯電話機の画像が表示されている。
【０２１１】
このように本装置の機能１５によれば、ＴＶ放送中に画面上で範囲指定により任意の画像を取り込んだ際に、その画像に付加された情報を同時に取り込んで表示することができる。また、この機能１５を利用すれば、例えば登場人物が身に付けている時計などのアクセサリに関する広告情報を付加して送ることでＴＶ放送中に宣伝効果を兼ねることができ、ビジネスとして広く展開することが可能である。
【０２１２】
（機能１６）
次に、本装置に備えられた機能１６について、図３４および図３５を参照して説明する。図３４は本装置の機能１６に関する表示例、図３５はその機能１６に関するフローチャートである。
【０２１３】
機能１６では、ＴＶ放送中に範囲指定用のフレームを画面上に表示することにより、そのフレーム内に存在する画像の中で取り込み可能な画像の候補を一覧表示し、その中でユーザにより選択された情報を取り込んで表示するようにしたものである。
【０２１４】
具体的に説明すると、例えば図３４（ａ）に示すように、キャラクタ１７１、１７２を有するＴＶ画像が表示されているものとする。ここで、図３４（ｂ）に示すように、画面上に矩形状のフレーム１７３を表示し、これをユーザがマウスポインタ等を操作して移動すると、そのフレーム１７３内のキャラクタ１７２の画像を対象として、図３４（ｃ）に示すような候補選択画面１７４が表示される。この候補選択画面１７４には、キャラクタ１７２に付加された部品（例えば「携帯電話機）、「靴」、「スーツ」等）の一覧が取り込み可能な画像として表示されている。
【０２１５】
ユーザがマウスポインタ等を用いて前記候補選択画面１７４に表示された各部品の１つを選択すると、図３４（ｄ）に示すように、その選択された部品の画像１７５がキャラクタ１７２の画像と共に取り込まれ、画面上の所定の位置に表示される。図３４（ｄ）の例では、キャラクタ１７２に付加されていた各部品の中の「携帯電話機」の画像１７５が取り込まれている。
【０２１６】
以下に、このような機能１６を実現するための本装置の処理動作について図３５のフローチャートを参照しながら説明する。なお、図３５（ａ）は本装置の制御部（ＣＰＵ）１１によって実行される機能１６に関する処理、同図（ｂ）は本装置に対するユーザの操作手順を示している。
【０２１７】
ユーザがキー入力部１２に設けられたＯＮキーｋ１を押下するなどして本装置をＯＮすると（ステップＵＰ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＰ１１）。
【０２１８】
ここで、ユーザがキー入力部１２に設けられたＴＶ表示キーｋ１０を押下して本装置に備えられたＴＶ表示アプリケーションをＯＮすると（ステップＵＰ１２）、制御部（ＣＰＵ）１１はそのＯＮ信号を検出することによりＴＶ放送を受信して、そのＴＶ画像を液晶表示部１３の画面上に表示する（ステップＰ１２）。詳しくは、図１に示すように本装置に設けられたインターフェース２２にＴＶチューナ２３を接続しておき、ＴＶチューナ２３にて受信されるＴＶ放送の画像情報と音声情報をインターフェース２２を介して入力し、そのうちの画像情報を液晶表示部１３に表示し、音声情報を図示せぬスピーカを通じて出力する。図３４（ａ）にＴＶ放送中の画像表示例を示す。
【０２１９】
なお、図１では、ＴＶチューナ２３を外部接続する構成としているが、例えばＴＶチューナ２３を内蔵した構成あるいはカード形式にて本装置に着脱自在に装着するような構成であっても良い。
【０２２０】
このようにしてＴＶ画像が表示された状態で、図３４（ｂ）に示すように、ユーザがペン１４ａあるいは図示せぬマウスなどの操作により、そのＴＶ画像の一部を画面上で範囲指定すると（ステップＵＰ１３）、制御部（ＣＰＵ）１１はその指定範囲のＸ，Ｙ座標を検出することにより（ステップＰ１３）、その座標情報に基づいて指定範囲内に存在するキャラクタ等の特定の画像を認識し、その画像に付加情報があるか否かを判断する（ステップＰ１４）。
【０２２１】
指定範囲内の画像に付加情報があった場合には（ステップＰ１４のＹｅｓ）、制御部（ＣＰＵ）１１はその付加情報の数を検出する（ステップＰ１５）。そして、付加情報が１つであれば（ステップＰ１５のＮｏ）、制御部（ＣＰＵ）１１はこれを取り込んで画面上の所定の位置に表示すると共に（ステップＰ１６，Ｐ１７）、その付加情報を所定の圧縮方式にて圧縮してＲＡＭ１７に設けられたＴＶメモリ１７ｈに記憶する（ステップＰ１８）。
【０２２２】
一方、付加情報が複数ある場合には（ステップＰ１５のＹｅｓ）、制御部（ＣＰＵ）１１はこれらの付加情報を取り込み可能な画像の候補として、図３４（ｃ）に示すような候補選択画面１７４を表示する（ステップＰ１９）。そして、ユーザがペン１４ａあるいは図示せぬマウスなどの操作により、その候補選択画面１７４の中の１つを選択すると（ステップＵＰ１４）、制御部（ＣＰＵ）１１はそのときの選択指示を検出することにより（ステップＰ２０）、その選択された付加情報を取り込んで画面上の所定の位置に表示すると共に（ステップＰ２１，Ｐ２２）、その付加情報を所定の圧縮方式にて圧縮してＲＡＭ１７に設けられたＴＶメモリ１７ｈに記憶する（ステップＰ２３）。
【０２２３】
また、制御部（ＣＰＵ）１１は前記指定範囲内の画像を画面上の所定の位置に表示すると共に（ステップＰ２４，Ｐ２５）、所定の圧縮方式にて圧縮して前記付加情報と関連付けて前記ＴＶメモリ１７ｈに記憶する（ステップＰ２６）。図３４（ｄ）の例では、キャラクタ１７２の画像が取り込み画像として画面上の所定の位置に表示され、また、このキャラクタ１７２の付加情報として「携帯電話機」が選択されて、その画像が表示されている。
【０２２４】
このように本装置の機能１６によれば、ＴＶ放送中に画面上でフレームを移動させながら、そのフレーム内の画像を対象として、取り込み可能な画像の候補を候補選択画面上で確認することができ、その中から所望の画像を任意選択的に取り込んで表示することができる。
【０２２５】
（機能１７）
次に、本装置に備えられた機能１７について、図３６および図３７を参照して説明する。図３６は本装置の機能１７に関する表示例、図３７はその機能１７に関するフローチャートである。
【０２２６】
機能１７では、ＴＶ放送中に画面上に表示されているキャラクタを範囲指定することで、そのキャラクタの音声情報（せりふ）を文字情報に変換して画面上に表示させるようにしたものである。
【０２２７】
具体的に説明すると、例えば図３６（ａ）に示すように、キャラクタ１８１、１８２を有するＴＶ画像が表示されているものとする。通常は、キャラクタ１８１、１８２の音声情報（せりふ）は本装置に設けられたスピーカ１８３から出力される。ここで、図３６（ｂ）に示すように、ユーザがマウスポインタ等を用いて画面上のキャラクタ１８２を範囲指定すると、その指定された範囲１８４内のキャラクタ１８２の音声情報については、本装置に搭載された音声認識機能により文字情報に変換されて画面上に表示されるようになる。
【０２２８】
すなわち、画面上に表示されるキャラクタ１８１の音声情報は図３６（ｃ）に示すように通常通りスピーカ１８３から出力されるのに対し、キャラクタ１８２の音声情報については文字情報に変換され、吹き出し１８５などを用いて画面上に表示される。なお、放送者側では、各キャラクタに関し、その画像情報と音声情報を関連付けて同時に送信しているものとする。
【０２２９】
以下に、このような機能３６を実現するための本装置の処理動作について図３７のフローチャートを参照しながら説明する。なお、図３７（ａ）は本装置の制御部（ＣＰＵ）１１によって実行される機能３６に関する処理、同図（ｂ）は本装置に対するユーザの操作手順を示している。
【０２３０】
ユーザがキー入力部１２に設けられたＯＮキーｋ１を押下するなどして本装置をＯＮすると（ステップＵＱ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＱ１１）。
【０２３１】
ここで、ユーザがキー入力部１２に設けられたＴＶ表示キーｋ１０を押下して本装置に備えられたＴＶ表示アプリケーションをＯＮすると（ステップＵＱ１２）、制御部（ＣＰＵ）１１はそのＯＮ信号を検出することによりＴＶ放送を受信して、そのＴＶ画像を液晶表示部１３の画面上に表示する（ステップＱ１２）。詳しくは、図１に示すように本装置に設けられたインターフェース２２にＴＶチューナ２３を接続しておき、ＴＶチューナ２３にて受信されるＴＶ放送の画像情報と音声情報をインターフェース２２を介して入力し、そのうちの画像情報を液晶表示部１３に表示し、音声情報を図示せぬスピーカを通じて出力する。図３６（ａ）にＴＶ放送中の画像表示例を示す。
【０２３２】
このようにしてＴＶ画像が表示された状態で、図３６（ｂ）に示すように、ユーザがペン１４ａあるいは図示せぬマウスなどの操作により、そのＴＶ画像に含まれるキャラクタを画面上で範囲指定すると（ステップＵＱ１３）、制御部（ＣＰＵ）１１はその指定範囲のＸ，Ｙ座標を検出することにより、その座標情報に基づいて指定範囲内に存在するキャラクタを特定する（ステップＱ１４）。そして、音声情報の受信に伴い（ステップＱ１５）、制御部（ＣＰＵ）１１は指定キャラクタの発した音声情報か否かを判別し、指定キャラクタの音声情報でなければ（ステップＱ１６のＮｏ）、図３６（ｃ）に示すように、その音声情報を通常通りスピーカ１８３から出力する（ステップＱ１７）。
【０２３３】
一方、受信した音声情報が指定キャラクタの発したものであれば（ステップＱ１６のＹｅｓ）、制御部（ＣＰＵ）１１は本装置に搭載された音声認識機能を起動して当該音声情報を文字情報に変換して、図３６（ｄ）に示すように、例えば吹き出し等を用いて画面上の所定の位置に表示する（ステップＱ１８，Ｑ１９）。
【０２３４】
以後、予め設定された時間が終了するまでの間、前記同様の処理が繰り返され、指定キャラクタに関しては音声情報が文字情報に変えて出力されることになる（ステップＱ２０）。
【０２３５】
このように本装置の機能１７によれば、ＴＶ放送中に画面上の特定のキャラクタの発する音声情報（せりふ）を文字情報に変換して画面に表示することができる。なお、前記の説明では、文字出力の対象とするキャラクタを１人しか指定しなかったが、複数のキャラクタを指定することも可能であり、その場合には各キャラクタ毎に音声情報が判別されて、それぞれに文字情報に変換されて画面上に表示されることになる。
【０２３６】
（機能１８）
次に、本装置に備えられた機能１８について、図３８および図３９を参照して説明する。図３８は本装置の機能１８に関する表示例、図３９はその機能１８に関するフローチャートである。
【０２３７】
機能１８では、カレンダ表示機能において、画面上に表示されたカレンダに対して範囲を指定することにより、その指定範囲内のカレンダ上の各日付に共通のスケジュールを表示したり、指定範囲内の各日付にそれぞれに登録された全てのスケジュールを一覧表示するようにしたものである。
【０２３８】
具体的に説明すると、まず、スケジュール管理機能によってユーザの予定（スケジュール）を登録した後、所定単位（例えば月単位）でカレンダを画面上に表示する。今、例えば図３８（ａ）に示すように、８月のカレンダ１９１が画面上に表示されているものとする。ここで、図３８（ｂ）に示すように、ユーザがマウスポインタ等を用いてカレンダ１９１上のある週やある曜日を囲むように範囲指定を行うと、その指定範囲１９２内に存在するカレンダ１９１上の各日付を対象として、これらの各日付に予め登録されたスケジュールが一覧表示されたり、あるいは、各日付に共通のスケジュールのみが表示される。
【０２３９】
図３８（ｃ）の例では、「１日」，「８日」，「１５日」，「２２日」，「２９日」といったように、８月中の金曜日の各日付を対象として、これらに共通するスケジュールとして「スイミングスクール」が一覧画面１９３に表示されている。なお、全てのスケジュールを一覧表示するのか、あるいは、共通するスケジュールのみを表示するのかは、ユーザのキー操作等によって任意に切替え可能とする。
【０２４０】
以下に、このような機能１８を実現するための本装置の処理動作について図３９のフローチャートを参照しながら説明する。なお、図３９（ａ）は本装置の制御部（ＣＰＵ）１１によって実行される機能１８に関する処理、同図（ｂ）は本装置に対するユーザの操作手順を示している。
【０２４１】
ユーザがキー入力部１２に設けられたＯＮキーｋ１を押下するなどして本装置をＯＮすると（ステップＵＲ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＲ１１）。
【０２４２】
ここで、ユーザがキー入力部１２に設けられたカレンダ表示キーｋ１４を押下して本装置に備えられたカレンダ表示アプリケーションをＯＮすると（ステップＵＲ１２）、制御部（ＣＰＵ）１１はそのＯＮ信号を検出することにより（ステップＲ１２）、例えば図３８（ａ）に示すように月単位のカレンダを液晶表示部１３の画面上に表示する（ステップＲ１３）。
【０２４３】
この画面上に表示されたカレンダに対し、ユーザがペン１４ａあるいは図示せぬマウスなどの操作により、そのカレンダ上のある週やある曜日を囲むように範囲指定を行うと（ステップＵＲ１３）、制御部（ＣＰＵ）１１はその指定範囲ののＸ，Ｙ座標を検出することにより（ステップＲ１４）、その座標情報に基づいて指定範囲内に存在するカレンダ上の日付を判別する（ステップＲ１５）。例えば、図３８（ａ）に示すような範囲１９２が指定された場合には、その指定範囲の位置情報に基づいて「１日」，「８日」，「１５日」，「２２日」，「２９日」といった日付が特定されることになる。
【０２４４】
一方、このカレンダ上の各日付には、予めスケジュール管理機能によって登録されたスケジュール情報が対応付けられており、前記指定範囲内のカレンダ上の日付が判別されると、その日付に対応したスケジュール情報が画面上に表示される。この場合、例えばキー操作などにより各日付に共通のスケジュール情報を表示するモードと、全てのスケジュール情報を表示するモードを任意に切替え可能であり、制御部（ＣＰＵ）１１はそのときのモードに応じてスケジュール表示を行う。
【０２４５】
すなわち、共通のスケジュール情報を表示するモードが設定されている場合には（ステップＲ１６のＹｅｓ）、制御部（ＣＰＵ）１１はＲＡＭ１７に設けられたスケジュールメモリ１７ｍから前記指定範囲内のカレンダ上の各日付に共通するスケジュール情報を読み出し（ステップＲ１７）、その共通スケジュールを例えば図３８（ｃ）に示すように画面上に表示する（ステップＲ１８）。
【０２４６】
また、全てのスケジュール情報を表示するモードが設定されている場合には（ステップＲ１６のＮｏ）、制御部（ＣＰＵ）１１はＲＡＭ１７に設けられたスケジュールメモリ１７ｍから前記指定範囲内のカレンダ上の各日付に登録されたスケジュール情報を読み出し（ステップＲ１９）、これらのスケジュール一覧を画面上に表示する（ステップＲ２０）。
【０２４７】
このように本装置の機能１８によれば、カレンダ上で任意の範囲を指定することにより、スケジュール管理機能を起動しなくとも、前記指定範囲内のカレンダ上の各日付に共通のスケジュールあるいは全てのスケジュールを簡単に確認することができる。
【０２４８】
（機能１９）
次に、本装置に備えられた機能１９について、図４０および図４１を参照して説明する。図４０は本装置の機能１９に関する表示例、図４１はその機能１９に関するフローチャートである。
【０２４９】
機能１９では、Ｗｅｂページの表示画面において、任意の情報を範囲指定しておくことにより、その指定範囲内の情報に対する更新の有無が定期的に監視され、更新があった場合にその更新後の情報を所定の画面上に表示するようにしたものである。
【０２５０】
具体的に説明すると、例えば図４０（ａ）に示すように、インターネット上のあるサイトのＷｅｂページが画面上に表示されているものとする。このＷｅｂページには、様々な情報が含まれており、ユーザがその中の一部の情報を図４０（ａ）に示すようにマウスポインタ等を用いて範囲指定すると、その指定された範囲２０２内の情報が本装置に取り込まれる。
【０２５１】
その後、当該サイトが所定のタイミングで定期的にアクセスされ、前記指定範囲２０２内の情報が更新されているか否かがチェックされる。そして、前記指定範囲２０２内の情報の更新が検出されると、図４０（ｃ）に示すような更新画面２０４が表示されて、当該情報が更新された旨を示すメッセージ２０４が表示された後、その更新後の情報の取り込みと共に、図４０（ｄ）に示すような更新情報の表示がなされる。
【０２５２】
以下に、このような機能１９を実現するための本装置の処理動作について図４１のフローチャートを参照しながら説明する。なお、図４１（ａ）は本装置の制御部（ＣＰＵ）１１によって実行される機能１９に関する処理、同図（ｂ）は本装置に対するユーザの操作手順を示している。
【０２５３】
ユーザがキー入力部１２に設けられたＯＮキーｋ１を押下するなどして本装置をＯＮすると（ステップＵＳ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＳ１１）。
【０２５４】
ここで、ユーザがキー入力部１２に設けられたブラウザキーｋ４の押下により本装置に備えられたブラウザ機能の起動を指示すると共に、データ入力キー１２ａを操作して、インターネット上のあるサイトのＵＲＬ（Ｕｎｉｆｏｒｍ　Ｒｅｓｏｕｒｃｅ　Ｌｏｃａｔｏｒ）を入力すると（ステップＵＳ１２，ＵＳ１３）、制御部（ＣＰＵ）１１はその起動コマンドとＵＲＬを検出することにより（ステップＳ１２，Ｓ１３）、通信制御部２１を通じてインターネットに接続し、前記ＵＲＬで指定されたサイトを検索する（ステップＳ１４）。そして、制御部（ＣＰＵ）１１は検索結果として得られた前記サイトのＷｅｂページ（ホームページ）を液晶表示部１３の画面上に表示する（ステップＳ１５）。図４０（ａ）にＷｅｂページの表示例を示す。
【０２５５】
続いて、画面上に表示されたＷｅｂページに対し、ユーザがペン１４ａあるいは図示せぬマウスなどを操作して、図４０（ｂ）に示すように、このＷｅｂページ上の任意の情報を範囲指定すると（ステップＵＳ１４）、制御部（ＣＰＵ）１１はその指定範囲のＸ，Ｙ座標を検出することにより（ステップＳ１６）、その座標情報に基づいて指定範囲内に存在する情報を認識して当該サイトのＵＲＬと共に読み込み、ＲＡＭ１７に設けられたＷｅｂメモリ１７ｎに記憶しておく（ステップＳ１７）。
【０２５６】
このようにして、Ｗｅｂページ上の指定範囲内の情報を取り込むと、制御部（ＣＰＵ）１１は所定のタイミングでＷｅｂメモリ１７ｎに記憶されたＵＲＬを読み出して、そのＵＲＬに基づいて前記サイトをアクセスすることにより、前記指定範囲内の情報を検索する（ステップＳ１８〜Ｓ２０）。そして、制御部（ＣＰＵ）１１はこのとき得られた情報とＲＡＭ１７のＷｅｂメモリ１７ｎ内の既存の情報とを比較して（ステップＳ２１）、両者が同一のものか否かを判断する（ステップＳ２２）。同一であった場合には（ステップＳ２１のＹｅｓ）、当該情報は更新されていないことであり、制御部（ＣＰＵ）１１は特に何もせずに次の更新時間を待つことになる。
【０２５７】
一方、同一でなかった場合には（ステップＳ２１のＮｏ）、当該情報は更新されていることであり、制御部（ＣＰＵ）１１はその更新後の情報を取り込み、図４０（ｃ）、（ｄ）に示すように所定の画面上に表示すると共に（ステップＳ２３）、その更新後の情報をＲＡＭ１７のＷｅｂメモリ１７ｎに記憶する（ステップＳ２４）。この場合、前の情報に上書きすることで、常に最新の情報を保持するようにする。
【０２５８】
このように本装置の機能１９によれば、Ｗｅｂページ上の一部の情報を範囲指定により取り込んだ後、当該情報が更新された場合には、その更新後の情報を新たに取り込んで画面上に表示することが可能になる。
【０２５９】
（機能２０）
次に、本装置に備えられた機能２０について、図４２および図４３を参照して説明する。図４２は本装置の機能２０に関する表示例、図４３はその機能２０に関するフローチャートである。
【０２６０】
機能２０では、画面上に表示される操作パネルを範囲指定することで、その指定範囲に存在するボタンを認識して、そのボタンに対応した機能を実行するものである。通常、コンピュータ画面上に表示されるソフトウェア操作パネルでは、その操作パネル上に設けられた各ボタンをマウスポインタ等で選択的にクリックすることで、その選択されたボタンに対応した処理を実行している。しかし、例えばボタンが小さい場合など、マウスポインタ等ではクリックしづらいことがある。そこで、本機能２０では、操作パネル上を範囲指定して、その範囲内に存在するボタンを自動的に入力可能とする。また、指定範囲内に操作パネル上の複数のボタンが存在した場合には、後でボタンを入力する順序を指定することで複数のボタンの入力操作を可能とする。
【０２６１】
具体的に説明すると、例えば図４２（ａ）に示すように、何らかの機能（この例ではオーディオ機能）に対応した操作パネル２１１が画面上に表示されているものとする。この操作パネル２１１には、複数のボタン２１２、２１３、２１４が設けられている。ここで、ユーザがマウスポインタ等で操作パネル２１１上を範囲指定すると、その指定された範囲２１５内に存在するボタンが認識され、当該ボタンに対応した処理が実行される。また、指定範囲２１５内に複数のボタンが存在した場合には、図４２（ｃ）に示すようにボタン入力順指定画面２１６が表示され、このボタン入力順指定画面２１６の中で各ボタンの入力順を指定することができる。図４２（ｃ）の例では、「ボリュームボタン」、「曲飛ばしボタン」の順に入力することが指定されている。なお、「ボリュームボタン」に関しては操作方向を含めて指定する。例えば「右」方向を指定した場合には音量が所定量だけ大きく調整されるものとする。
【０２６２】
このように指定範囲２１５内のボタンを対象として入力操作を行うと、図４２（ｄ）に示すように、そのときの入力操作に応じて操作パネル２１１の状態が変化する。
【０２６３】
以下に、このような機能２０を実現するための本装置の処理動作について図４３のフローチャートを参照しながら説明する。なお、図４３（ａ）は本装置の制御部（ＣＰＵ）１１によって実行される機能２０に関する処理、同図（ｂ）は本装置に対するユーザの操作手順を示している。
【０２６４】
ユーザがキー入力部１２に設けられたＯＮキーｋ１を押下するなどして本装置をＯＮすると（ステップＵＴ１１）、本装置に備えられた制御部（ＣＰＵ）１１はそのＯＮ信号を検出することにより所定の起動処理を実行し、例えば図示せぬメニュー画面を表示するなどした後、ユーザからのイベントの入力を待つ（ステップＴ１１）。
【０２６５】
ここで、ユーザがキー入力部１２に設けられた操作パネル表示キーｋ１５の押下により本装置に備えられた操作パネル表示機能の起動を指示すると（ステップＵＴ１２）、制御部（ＣＰＵ）１１はその起動コマンドを検出することにより（ステップＴ１２）、複数のボタンが設けられた操作パネル（ソフトウェア操作パネル）を液晶表示部１３の画面上に表示する（ステップＴ１３）。図４２（ａ）に操作パネルの表示例を示す。
【０２６６】
続いて、画面上に表示された操作パネルに対し、ユーザがペン１４ａあるいは図示せぬマウスなどを操作して、図４２（ｂ）に示すように、この操作パネルに設けられた各ボタンの一部を囲むように範囲指定すると（ステップＴ１３）、制御部（ＣＰＵ）１１はその指定範囲のＸ，Ｙ座標を検出することにより（ステップＴ１４）、その座標情報に基づいて指定範囲内に存在するボタンの種類を判別し（ステップＴ１５）、そのボタンに対応した処理を実行する（ステップＴ１９）。
【０２６７】
また、前記指定範囲内に操作パネル上の複数のボタンが存在していた場合には（ステップＴ１６のＹｅｓ）、制御部（ＣＰＵ）１１は図４２（ｃ）に示すようなボタン入力順指定画面２１６を表示して、これらのボタンの入力順をユーザに指定させる（ステップＴ１８）。ユーザがキー入力部１２を通じて各ボタンに対する入力順を指定すると（ステップＵＴ１４）、制御部（ＣＰＵ）１１はその指定された入力順に従って操作手順を並べ替えて（ステップＴ１８）、各ボタンに対応した処理を順に実行する（ステップＴ１９）。図４２（ｃ）に示す例では、「ボリュームボタン」、「曲飛ばしボタン」の順で入力することが指定されている。
【０２６８】
このように本装置の機能２０によれば、画面上に表示された操作パネルを範囲指定して、その指定範囲内に存在する操作パネル上のボタンの入力を行うことができるため、例えば操作パネルの各ボタンの表示が小さくて、マウスポインタ等でクリックしづらいような場合であっても、画面上で範囲を指定するだけの簡単な操作にて操作パネル上の各ボタンの入力を行うことができる。
【０２６９】
なお、前述した実施形態において記載した手法、つまり、本装置に備えられた機能１〜２０に関する各処理は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、そのプログラム自体をネットワーク等の伝送媒体により伝送して各種装置に適用することも可能である。本装置を実現するコンピュータは、図１に示すように記録媒体２０に記録されたプログラムを記録媒体読み取り部１９にて読み込み、あるいはネットワーク等の伝送媒体を介して提供されたプログラムを通信制御部２１にて読み込み、そのプログラムによって動作が制御されることにより、前述した各種処理を実行する。
【０２７０】
【発明の効果】
以上のように本発明によれば、画面上に表示された画像を範囲指定により取り込み、その際に当該画像の持つ意味を含めて取り込むことで、様々なアプリケーションで利用できるようになる。
【０２７１】
すなわち、化学物質に関する画像の一部を範囲指定することにより、その指定範囲内に存在する化学物質の画像情報と共に当該化学物質の成分情報を取り込むことができ、その成分情報を所定の記号に変換して表示することができる。
【０２７２】
また、例えば教科書など、何らかの挿し絵が挿入されたデータを対象として、画面上での範囲指定操作により、その挿し絵の画像情報を当該挿し絵の説明文などの関連データと共に取り込むことができる。
【０２７３】
また、例えばＴＶ画像などのように、外部から送られてきた画像を対象として、その画像の一部を画面上で範囲指定することにより、その指定範囲内に存在する画像を当該画像に添付された情報と共に取り込むことができ、その画像情報と添付情報とを関連付けて記録しておくことで、後に参照、編集することができる。
【０２７４】
また、例えば写真等の画像情報が表示された画面上において、その画像情報に対してコメントデータを付けて取り込むことができ、後に表示切替えによって当該画像情報をコメント付きで表示させることができる。
【０２７５】
また、複数の画像情報のそれぞれにコメントデータを付加すると共に、これらのコメントデータの表示順を指定しておくことで、その表示順で該当する画像情報にコメントを付けて表示させることができる。
【０２７６】
また、画面上に表示されたテレビ放送の番組表の一部を範囲指定することにより、その指定範囲内に存在する番組表の画像情報を取り込んで、その番組表画像に記述されている番組情報に基づいてテレビ放送の録画設定を簡単に行うことができる。
【０２７７】
また、前記画面上から取り込んだ番組表の画像情報を録画データのインデックスとして利用することができる。
【０２７８】
また、画面上に表示されたテレビ画像に含まれるキャラクタ等の画像を当該画像に付加された情報と共に取り込んで、画面上の所定の位置に表示させることができる。
【０２７９】
また、前記キャラクタ等の画像に複数の情報が付加されている場合に、これらの付加情報を選択的に取り込んで表示させることができる。
【０２８０】
また、画面上に表示されたテレビ画像の中の任意のキャラクタを範囲指定することにより、その指定範囲内に存在するキャラクタの発する音声情報を文字情報に変えて表示させることができる。
【０２８１】
また、画面上に表示されたカレンダの一部を範囲指定することにより、その指定範囲内に存在する各日付に対応した全てのスケジュール情報、あるいは、各日付に共通のスケジュール情報を選択的に表示させることができる。
【０２８２】
また、Ｗｅｂサイトから取得した情報の一部を画面上で範囲指定して記憶しておくことにより、その指定範囲内に存在する情報が更新された際に、その更新後の情報を取り込んで画面上に表示させることができる。
【０２８３】
また、画面上に表示された操作パネルの一部を範囲指定することにより、その指定範囲内に存在するボタンに対応した処理を実行することができ、これにより、ボタンの表示サイズが小さい場合でも画面上で所望のボタンを操作することができる。
【図面の簡単な説明】
【図１】本発明の情報処理装置の構成を示すブロック図。
【図２】前記情報処理装置に備えられた機能１に関する処理を具体的に説明するための表示例を示す図。
【図３】前記情報処理装置に備えられた機能１に関する処理動作を示すフローチャート。
【図４】前記情報処理装置に備えられた機能２に関する処理を具体的に説明するための表示例を示す図。
【図５】前記情報処理装置に備えられた機能２に関する処理動作を示すフローチャート。
【図６】前記情報処理装置に備えられた機能３に関する処理を具体的に説明するための表示例を示す図。
【図７】前記情報処理装置に備えられた機能３に関する処理動作を示すフローチャート。
【図８】前記情報処理装置に備えられた機能４に関する処理を具体的に説明するための表示例を示す図。
【図９】前記情報処理装置に備えられた機能４に関する処理動作を示すフローチャート。
【図１０】前記情報処理装置に備えられた機能５に関する処理を具体的に説明するための表示例を示す図。
【図１１】前記情報処理装置に備えられた機能５に関する処理動作を示すフローチャート。
【図１２】前記情報処理装置に備えられた機能６に関する処理を具体的に説明するための表示例を示す図。
【図１３】前記情報処理装置に備えられた機能６に関する処理動作を示すフローチャート。
【図１４】前記情報処理装置に備えられた機能７に関する処理を具体的に説明するための表示例を示す図。
【図１５】前記情報処理装置に備えられた機能７に関する処理動作を示すフローチャート。
【図１６】前記情報処理装置に備えられた機能８に関する処理を具体的に説明するための表示例を示す図。
【図１７】前記情報処理装置に備えられた機能８に関する処理動作を示すフローチャート。
【図１８】前記情報処理装置に備えられた機能９に関する処理を具体的に説明するための表示例を示す図。
【図１９】前記情報処理装置に備えられた機能９に関する処理動作を示すフローチャート。
【図２０】前記情報処理装置に備えられた機能１０に関する処理を具体的に説明するための表示例を示す図。
【図２１】前記情報処理装置に備えられた機能１０に関する処理動作を示すフローチャート。
【図２２】前記情報処理装置に備えられた機能１１関する処理を具体的に説明するための表示例を示す図。
【図２３】前記情報処理装置に備えられた機能１１に関する処理動作（データ記録処理）を示すフローチャート。
【図２４】前記情報処理装置に備えられた機能１１に関する処理動作（データ呼び出し処理）を示すフローチャート。
【図２５】前記情報処理装置に備えられた機能１２に関する処理を具体的に説明するための表示例を示す図。
【図２６】前記情報処理装置に備えられた機能１２に関する処理動作（データ記録処理）を示すフローチャート。
【図２７】前記情報処理装置に備えられた機能１２に関する処理動作（データ呼び出し処理）を示すフローチャート。
【図２８】前記情報処理装置に備えられた機能１３に関する処理を具体的に説明するための表示例を示す図。
【図２９】前記情報処理装置に備えられた機能１３に関する処理動作を示すフローチャート。
【図３０】前記情報処理装置に備えられた機能１４に関する処理を具体的に説明するための表示例を示す図。
【図３１】前記情報処理装置に備えられた機能１４に関する処理動作を示すフローチャート。
【図３２】前記情報処理装置に備えられた機能１５に関する処理を具体的に説明するための表示例を示す図。
【図３３】前記情報処理装置に備えられた機能１５に関する処理動作を示すフローチャート。
【図３４】前記情報処理装置に備えられた機能１６に関する処理を具体的に説明するための表示例を示す図。
【図３５】前記情報処理装置に備えられた機能１６に関する処理動作を示すフローチャート。
【図３６】前記情報処理装置に備えられた機能１７に関する処理を具体的に説明するための表示例を示す図。
【図３７】前記情報処理装置に備えられた機能１７に関する処理動作を示すフローチャート。
【図３８】前記情報処理装置に備えられた機能１８に関する処理を具体的に説明するための表示例を示す図。
【図３９】前記情報処理装置に備えられた機能１８に関する処理動作を示すフローチャート。
【図４０】前記情報処理装置に備えられた機能１９に関する処理を具体的に説明するための表示例を示す図。
【図４１】前記情報処理装置に備えられた機能１９に関する処理動作を示すフローチャート。
【図４２】前記情報処理装置に備えられた機能２０に関する処理を具体的に説明するための表示例を示す図。
【図４３】前記情報処理装置に備えられた機能２０に関する処理動作を示すフローチャート。
【符号の説明】
１１…制御部（ＣＰＵ）
１２…キー入力部
１２ａ…データ入力キー
１２ｂ…カーソルキー
１２ｃ…モードキー
ｋ１〜ｋ１５…各種キー
１３…液晶表示部
１４…タブレット
１５…位置検出回路
１６…ＲＯＭ
１７…ＲＡＭ
１７ａ…表示バッファ
１７ｂ…回路メモリ
１７ｃ…素子記号テーブル
１７ｄ…化学物質メモリ
１７ｅ…化学物質シンボルテーブル
１７ｆ…教科書メモリ
１７ｇ…グラフメモリ
１７ｈ…ＴＶメモリ
１７ｉ…画像メモリ
１７ｊ…コメントメモリ
１７ｋ…吹き出しメモリ
１７ｌ…録画メモリ
１７ｍ…スケジュールメモリ
１７ｎ…Ｗｅｂメモリ
１８…表示駆動回路
１９…記録媒体読み取り部
２０…記録媒体
２１…通信制御部
２２…インターフェース
２３…ＴＶチューナ
２４…録画装置
【図１】
2004118555.tif 000003
【図２】
2004118555.tif 000004
【図３】
2004118555.tif 000005
【図４】
2004118555.tif 000006
【図５】
2004118555.tif 000007
【図６】
2004118555.tif 000008
【図７】
2004118555.tif 000009
【図８】
2004118555.tif 000010
【図９】
2004118555.tif 000011
【図１０】
2004118555.tif 000012
【図１１】
2004118555.tif 000013
【図１２】
2004118555.tif 000014
【図１３】
2004118555.tif 000015
【図１４】
2004118555.tif 000016
【図１５】
2004118555.tif 000017
【図１６】
2004118555.tif 000018
【図１７】
2004118555.tif 000019
【図１８】
2004118555.tif 000020
【図１９】
2004118555.tif 000021
【図２０】
2004118555.tif 000022
【図２１】
2004118555.tif 000023
【図２２】
2004118555.tif 000024
【図２３】
2004118555.tif 000025
【図２４】
2004118555.tif 000026
【図２５】
2004118555.tif 000027
【図２６】
2004118555.tif 000028
【図２７】
2004118555.tif 000029
【図２８】
2004118555.tif 000030
【図２９】
2004118555.tif 000031
【図３０】
2004118555.tif 000032
【図３１】
2004118555.tif 000033
【図３２】
2004118555.tif 000034
【図３３】
2004118555.tif 000035
【図３４】
2004118555.tif 000036
【図３５】
2004118555.tif 000037
【図３６】
2004118555.tif 000038
【図３７】
2004118555.tif 000039
【図３８】
2004118555.tif 000040
【図３９】
2004118555.tif 000041
【図４０】
2004118555.tif 000042
【図４１】
2004118555.tif 000043
【図４２】
2004118555.tif 000044
【図４３】
2004118555.tif 000045